(57)【要約】  本発明は、制御面シグナリングによってデータを伝送する方法、機器及びシステムを提供する。当該方法は、ユーザ機器が現在伝送すべきデータのデータ量が閾値を超えたか否かを判定することを含み、そうである場合、ユーザ機器が現在伝送すべきデータを複数回分けて、アクセスネットワーク機器に対して現在受信したデータをバッファリングするよう指示するデータ伝送制御情報が含まれているＲＲＣシグナリングのＮＡＳ  ＰＤＵに乗せ、アクセスネットワーク機器に送信する。本発明によれば、データ量が閾値を超えたデータを、複数回分けて、制御面シグナリングによってアクセスネットワーク機器に送信することで、データ伝送によるシグナリングオーバヘッドを減少させるとともに、関連技術において制御面シグナリングによるデータ送信方式によって大きいデータ量の送信が実現できない課題を解決し、ネットワーク性能を最適化にし、システムの能率を向上させる。
2015530838.tif 000002
【特許請求の範囲】
【請求項１】
ユーザ機器が現在伝送すべきデータのデータ量が閾値を超えたか否かを判定することを含み、
前記閾値を超えた場合、前記ユーザ機器が前記現在伝送すべきデータを複数回に分けて、アクセスネットワーク機器に対して現在受信したデータをバッファリングするよう指示するデータ伝送制御情報が含まれている無線リソース制御ＲＲＣシグナリングの非アクセス層プロトコルデータユニットＮＡＳ  ＰＤＵに乗せ、前記アクセスネットワーク機器に送信する、制御面シグナリングによるデータ伝送方法。
【請求項２】
前記データ伝送制御情報は、
現在ＲＲＣシグナリングによってデータを送信していることを示すデータインディケーションと、
データの送信が完了したか否かを示すデータ送信完了インディケーションと、
前記現在伝送すべきデータの伝送状況を前記アクセスネットワーク機器に示すデータパケット制御情報と、
送信すべき後続のデータがあるか否かを示すバッファリング状態レポートＢＳＲと、の少なくとも１つを含む請求項１に記載の方法。
【請求項３】
前記データインディケーションの携帯方式は、
前記ＲＲＣシグナリングに追加した情報エレメントＩＥに前記データインディケーションを含ませる方式と、
前記ＲＲＣシグナリングに追加したメディアアクセス制御エレメントＭＡＣ  ＣＥに前記データインディケーションを含ませる方式と、
ＭＡＣサブヘッダーの予約ビットに前記データインディケーションを含ませる方式とのいずれか１つを含む請求項２に記載の方法。
【請求項４】
前記データ送信完了インディケーションの携帯方式は、
前記ＲＲＣシグナリングに追加した情報エレメントＩＥに前記データ送信完了インディケーションを含ませる方式と、
前記ＲＲＣシグナリングに追加したメディアアクセス制御エレメントＭＡＣ  ＣＥに前記データ送信完了インディケーションを含ませる方式と、
ＭＡＣサブヘッダーの予約ビットに前記データ送信完了インディケーションを含ませる方式のいずれか１つを含む請求項２に記載の方法。
【請求項５】
前記データパケット制御情報は、
送信が完了していないデータ量、データパケット数、及び単一のデータパケットの送信回数の少なくとも１つを含む請求項２に記載の方法。
【請求項６】
前記ＲＲＣシグナリングは、
ＲＲＣ接続確立完了メッセージ、
上がりリンク情報伝送メッセージ、及び
自己定義されたメッセージ、
の少なくとも１つを含む請求項１ないし５のいずれか一項に記載の方法。
【請求項７】
前記ユーザ機器が前記現在送信すべきデータの送信を完了した後、
前記ユーザ機器が前記アクセスネットワーク機器またはコアネットワーク機器からのシグナリングを受信することと、
前記ユーザ機器が前記シグナリングに基づき、後続のＲＲＣ接続を確立する、またはＲＲＣ接続をリリースすることと、をさらに含む請求項１ないし５のいずれか一項に記載の方法。
【請求項８】
アクセスネットワーク機器が無線リソース制御ＲＲＣシグナリングの非アクセス層プロトコルデータユニットＮＡＳ  ＰＤＵに乗せられているユーザ機器からのデータを受信することと、
前記アクセスネットワーク機器が前記ＲＲＣシグナリングに含まれているデータ伝送制御情報に基づき、前記データをバッファリングすることと、
前記アクセスネットワーク機器が前記データ伝送制御情報に基づき、バッファリングされた前記データが完全なものであるか否かを判定することと、
完全なものである場合、前記アクセスネットワーク機器が、Ｓ１メッセージによって、バッファリングした前記データをコアネットワーク機器に送信することと、を含み、
前記Ｓ１メッセージは進化型ユニバーサル地上無線アクセスネットワークノードＢとモビリティ管理エンティティＭＭＥとの間のロジックインターフェースにサポートされるメッセージで、前記Ｓ１メッセージには、データ送信インディケーションが含まれている、制御面シグナリングによるデータ伝送方法。
【請求項９】
前記データ送信インディケーションは、現在ＲＲＣシグナリングを用いてデータを送信していることを示すデータインディケーション、及び／またはデータの送信が完了したか否かを示すデータ送信完了インディケーションを含む請求項８に記載の方法。
【請求項１０】
前記アクセスネットワーク機器が前記データ伝送制御情報に基づき、バッファリングされた前記データが完全なものであるか否かを判定することは、
前記アクセスネットワーク機器が前記データ伝送制御情報におけるバッファリング状態レポートＢＳＲをチェックし、前記ＢＳＲが送信すべき後続のデータがないことを示す場合、バッファリングした前記データが完全なものであると判定し、そうでない場合、バッファリングした前記データが不完全であると判定するという方式と、
前記アクセスネットワーク機器が前記データ伝送制御情報におけるデータパケット制御情報をチェックし、前記データパケット制御情報が送信完了していないデータパケットの数がデフォルト値であることを示す場合、バッファリングした前記データが完全なものであると判定し、そうでない場合、バッファリングした前記データが不完全であると判定するという方式と、
前記アクセスネットワーク機器が前記データ伝送制御情報におけるデータ送信完了インディケーションをチェックし、前記データ送信完了インディケーションがデータ送信完了を示す場合、バッファリングした前記データが完全なものであると判定し、そうでない場合、バッファリングした前記データが不完全であると判定するという方式、のいずれか１つを含む請求項８に記載の方法。
【請求項１１】
前記Ｓ１メッセージは、
初期ユーザ機器メッセージ、上がりリンク非アクセス層伝送メッセージ、または自己定義されたメッセージのいずれか１つである請求項８に記載の方法。
【請求項１２】
前記アクセスネットワーク機器がバッファリングした前記データが不完全であると判定した後、
前記アクセスネットワーク機器がデータ伝送制御タイマーをＯＮにすることをさらに含み、
前記データ伝送制御タイマーがオーバータイムすると、前記アクセスネットワーク機器は、
Ｓ１メッセージによって、バッファリングした前記データをコアネットワーク機器に送信し、後続の接続確立プロセスを完成するステップ、または、
前記ユーザ機器のＲＲＣ接続をリリースし、前記ＲＲＣ接続がリリースされた原因を前記ユーザに示すステップのいずれか１つを実行する請求項８に記載の方法。
【請求項１３】
前記データ送信完了インディケーションは前記データ伝送制御情報の中のデータ送信完了インディケーションである、または、前記データ送信完了インディケーションはバッファリングした前記データが完全なものであるか否かの判定結果に基づいて前記アクセスネットワーク機器によって生成されたものである請求項９に記載の方法。
【請求項１４】
コアネットワーク機器がアクセスネットワーク機器からのＳ１メッセージを受信することと、
前記コアネットワーク機器が前記データを後続コアネットワークノードに送信するか否かを判定することと、
前記コアネットワーク機器が、前記データを後続コアネットワークノードに送信すると判定した場合、前記データを後続コアネットワークノードに送信することと、
前記コアネットワーク機器が、前記データを後続コアネットワークノードに送信しないと判定した場合、前記データを破棄することと、
前記コアネットワーク機器が後続の無線リソース制御ＲＲＣの接続をする、またはＲＲＣ接続をリリースすることと、を含み、
前記Ｓ１メッセージは、進化型ユニバーサル地上無線アクセスネットワークノードＢとモビリティ管理エンティティＭＭＥとの間のロジックインターフェースにサポートされるメッセージで、データとデータ送信インディケーションが含まれている、制御面シグナリングによるデータ伝送方法。
【請求項１５】
前記コアネットワーク機器が前記データを後続コアネットワークノードに送信するか否かを判定することは、
前記コアネットワーク機器が前記データに対応するユーザ機器サブスクリプト情報に基づいて判定する方式と、
前記コアネットワーク機器が前記データ送信インディケーションに基づいて判定する方式と、の少なくとも１つを含む請求項１４に記載の方法。
【請求項１６】
前記コアネットワーク機器は、
前記データに対応するユーザ機器のサブスクリプト情報、前記コアネットワーク機器が後続ノードにデータを送信してからの所定時間内に送信すべき下りデータがあるか否か、及び前記コアネットワーク機器と前記データに対応するユーザ機器との事前約束情報、
のいずれか１つに基づいて、後続ＲＲＣ接続をするか、それとも、ＲＲＣ接続をリリースするかを決定する請求項１４に記載の方法。
【請求項１７】
現在伝送すべきデータのデータ量が閾値を超えたか否かを判定するように構成されているデータ量判定モジュールと、
前記データ量判定モジュールの判定結果が「ＹＥＳ」である場合、前記現在伝送すべきデータを複数回に分けて、アクセスネットワーク機器に対して現在受信したデータをバッファリングするよう指示するデータ伝送制御情報が含まれている無線リソース制御ＲＲＣシグナリングの非アクセス層プロトコルデータユニットＮＡＳ  ＰＤＵに乗せ、前記アクセスネットワーク機器に送信するように構成されている伝送すべきデータ送信モジュールと、を含むユーザ機器。
【請求項１８】
前記アクセスネットワーク機器またはコアネットワーク機器からのシグナリングを受信するように構成されているシグナリング受信モジュールと、
前記シグナリング受信モジュールが受信した前記シグナリングに基づき、後続ＲＲＣ接続を確立する、またはＲＲＣ接続をリリースするように構成されている接続処理モジュールと、をさらに含む請求項１７に記載のユーザ機器。
【請求項１９】
無線リソース制御ＲＲＣシグナリングの非アクセス層プロトコルデータユニットＮＡＳ  ＰＤＵに乗せられているユーザ機器からのデータを受信するように構成されているデータ受信モジュールと、
前記ＲＲＣシグナリングに含まれているデータ伝送制御情報に基づき、前記データ受信モジュールの受信した前記データをバッファリングするように構成されているデータバッファリングモジュールと、
前記データ伝送制御情報に基づき、前記データバッファリングモジュールによってバッファリングされた前記データが完全なものであるか否かを判定するように構成されているデータ完全性判定モジュールと、
前記データ完全性判定モジュールがバッファリングされた前記データが完全なものであると判定した場合、Ｓ１メッセージによって、バッファリングされた前記データをコアネットワーク機器に送信するように構成されているデータ送信モジュールと、を含み、
前記Ｓ１メッセージは進化型ユニバーサル地上無線アクセスネットワークノードＢとモビリティ管理エンティティＭＭＥとの間のロジックインターフェースにサポートされるメッセージで、前記Ｓ１メッセージには、データ送信インディケーションが含まれているアクセスネットワーク機器。
【請求項２０】
前記データ完全性判定モジュールがバッファリングされた前記データが不完全であると判定すると、データ伝送制御タイマーをＯＮにするように構成されているタイマーＯＮモジュールと、
前記タイマーＯＮモジュールによってＯＮにされた前記データ伝送制御タイマーがオーバータイムした場合、Ｓ１メッセージによって、バッファリングされた前記データをコアネットワーク機器に送信し、後続の接続確立プロセスを完成する、または前記ユーザ機器のＲＲＣ接続をリリースし、前記ＲＲＣ接続がリリースされた原因を前記ユーザに示すように構成されているタイミング処理モジュールと、をさらに含む請求項１９に記載のアクセスネットワーク機器。
【請求項２１】
アクセスネットワーク機器からのＳ１メッセージを受信するように構成されているメッセージ受信モジュールと、
前記メッセージ受信モジュールによって受信されたＳ１メッセージにおける前記データを後続コアネットワークノードに送信するか否かを判定するように構成されている判定モジュールと、
前記判定モジュールの判定結果が「ＹＥＳ」である場合、前記データを後続コアネットワークノードに送信し、前記判定モジュールの判定結果が「ＮＯ」である場合、前記データを破棄するように構成されているデータ処理モジュールと、
前記データ処理モジュールによって前記データの処理が完了された後、後続の無線リソース制御ＲＲＣ接続をする、或いは、ＲＲＣ接続をリリースするように構成されている接続処理モジュールと、を含み、
前記Ｓ１メッセージは、進化型ユニバーサル地上無線アクセスネットワークノードＢとモビリティ管理エンティティＭＭＥとの間のロジックインターフェースにサポートされるメッセージで、データとデータ送信インディケーションが含まれているコアネットワーク機器。
【請求項２２】
請求項１７または１８に記載のユーザ機器、請求項１９または２０に記載のアクセスネットワーク機器、及び請求項２１に記載のコアネットワーク機器を含む、制御面シグナリングによるデータ伝送システム。
【発明の詳細な説明】
【技術分野】
【０００１】
本発明は、移動通信分野に関し、具体的には、制御面シグナリングによるデータ伝送の方法、機器及びシステムに関する。
【背景技術】
【０００２】
Ｍ２Ｍ（Ｍａｃｈｉｎｅ−ｔｏ−ｍａｃｈｉｎｅ、マシン間）通信は、ＭＴＣ（Ｍａｃｈｉｎｅ  Ｔｙｐｅ  Ｃｏｍｍｕｎｉｃａｔｉｏｎｓ、マシン型通信）通信とも言われ、近年来、マシン型通信は新しいタイプの通信コンセプトとして、例えば、スマートホームや物流のモニタリングなどのマシン型通信の間のサービスも広く注目され、大量に応用されている。これと同時に、人々の生活水準の向上につれて、個性化ニーズに応じて誕生したスマート端末も、例えばスマートフォンや、タブレット型パソコンなどがものすごい勢いで発展している。無線通信技術の飛躍的な発展に伴い、例えば、オンラインゲームやストリーミングビデオなどのような、スマート端末で実行するサービスの種類も多くなってきた。様々なマシン型通信とスマート端末の適用場面において、ＭＴＣ装置またはスマート端末の送信するデータ量がそれほど大きくなく（通常は何十から何百バイト）、わずかな物理リソースでデータの伝送を完成することができる。
【０００３】
現在ＬＴＥ（Ｌｏｎｇ−Ｔｅｒｍ  Ｅｖｏｌｕｔｉｏｎ、長期間進化）規格において、ユーザ装置はこれらのデータを送信するためには、既存の技術によりデータを送信することになり、即ち、シグナリング手順によってＤＲＢ（データ無線ベアラ）、Ｓ１ベアラを確立してから、ＤＲＢ、Ｓ１ベアラによってデータをネットワーク側に送信することになっている。既存技術において、データ伝送によるシグナリングオーバヘッドはデータの伝送量に対して非常に大きく、システムの能率をひどく低下させている。
【０００４】
上記課題に対して、関連技術では、制御面シグナリングによりデータを送信することが提案され、当該提案は、大体２種類がある。１種類は、ＮＡＳメッセージにデータを添加して制御面シグナリングによるデータ送信を実現するもので、用いられるＮＡＳメッセージはトラッキングエリア更新（ＴＡＵ、Ｔｒａｃｋｉｎｇ  Ａｒｅａ  ＵＰｄａｔｅ）メッセージ、付着メッセージ、サービス要求メッセージなどである。もう１種類は、ＳＭＳ（Ｓｈｏｒｔ  Ｍｅｓｓａｇｅ  Ｓｅｒｖｉｃｅ、ショートメッセージサービス）でデータを送信するものである。ＮＡＳメッセージでデータを送信する方法は、単一の小さいデータパケットに向き、データの送信を実現できるが、制御面シグナリングの運ぶデータ量がリソース割当、制御面シグナリングの大きさなどに影響されるため、小さいデータパケット（何バイトから何十バイト）にしか適用しない。ＳＭＳによるデータ送信方法は、データ量が小さい場合に適用し、そのデータの送信量が１００バイトぐらいである。上記２種類の提案はデータ量が大きい状況に対して、いずれもユーザ面のシグナリングによって送信を行うことになり、依然としてシステム能率が低いという問題がある。このように、ユーザ装置の多くのサービス（データパケットの大きさが何十から何百バイトの間）に対して、既存の制御面シグナリングによるデータ送信は、データ全体の送信を実現することができない。
【０００５】
関連技術において、制御面シグナリングによるデータ送信によって大きいデータ量の送信を実現できない問題に対して、いままで、まだ効果的なソリューションが提出されていない。
【発明の概要】
【発明が解決しようとする課題】
【０００６】
本発明は、少なくとも、制御面シグナリングによるデータ送信によってい大きいデータ量の送信を実現できないという上記課題を解決するために、制御面シグナリングによるデータ伝送の方法、機器及びシステムを提供する。
【課題を解決するための手段】
【０００７】
本発明実施例の一態様によると、ユーザ機器が現在伝送すべきデータのデータ量が閾値を超えたか否かを判定することを含み、前記閾値を超えた場合、ユーザ機器が現在伝送すべきデータを複数回に分けて、アクセスネットワーク機器に対して現在受信したデータをバッファリングするよう指示するデータ伝送制御情報が含まれているＲＲＣシグナリングのＮＡＳ  ＰＤＵに乗せ、アクセスネットワーク機器に送信する、制御面シグナリングによるデータ伝送方法を提供する。
【０００８】
前記データ伝送制御情報は、現在ＲＲＣシグナリングによってデータを送信していることを示すデータインディケーションと、データの送信が完了したか否かを示すデータ送信完了インディケーションと、現在伝送すべきデータの伝送状況をアクセスネットワーク機器に示すデータパケット制御情報と、送信すべき後続のデータがあるか否かを示すバッファリング状態レポートＢＳＲと、の少なくとも１つを含む。
【０００９】
前記データインディケーションの携帯方式は、ＲＲＣシグナリングに追加した情報エレメントＩＥにデータインディケーションを含ませる方式と、ＲＲＣシグナリングに追加したメディアアクセス制御エレメントＭＡＣ  ＣＥにデータインディケーションを含ませる方式と、ＭＡＣサブヘッダーの予約ビットにデータインディケーションを含ませる方式とのいずれか１つを含む。
【００１０】
前記データ送信完了インディケーションの携帯方式は、ＲＲＣシグナリングに追加した情報エレメントＩＥにデータ送信完了インディケーションを含ませる方式と、ＲＲＣシグナリングに追加したメディアアクセス制御エレメントＭＡＣ  ＣＥにデータ送信完了インディケーションを含ませる方式と、ＭＡＣサブヘッダーの予約ビットにデータ送信完了インディケーションを含ませる方式のいずれか１つを含む。
【００１１】
前記データパケット制御情報は、送信が完了していないデータ量、データパケット数、及び単一のデータパケットの送信回数の少なくとも１つを含む。
【００１２】
前記ＲＲＣシグナリングは、ＲＲＣ接続確立完了メッセージ、上がりリンク情報伝送メッセージ、及び自己定義されたメッセージ、の少なくとも１つを含む。
【００１３】
前記ユーザ機器が現在送信すべきデータの送信を完了した後、前記方法は、ユーザ機器がアクセスネットワーク機器またはコアネットワーク機器からのシグナリングを受信することと、ユーザ機器がシグナリングに基づき、後続のＲＲＣ接続を確立する、またはＲＲＣ接続をリリースすることと、をさらに含む。
【００１４】
本発明実施例のもう一態様によると、アクセスネットワーク機器がＲＲＣシグナリングのＮＡＳ  ＰＤＵに乗せられているユーザ機器からのデータを受信することと、アクセスネットワーク機器がＲＲＣシグナリングに含まれているデータ伝送制御情報に基づき、データをバッファリングすることと、アクセスネットワーク機器がデータ伝送制御情報に基づき、バッファリングされたデータが完全なものであるか否かを判定することと、完全なものである場合、アクセスネットワーク機器が、Ｓ１メッセージによって、バッファリングしたデータをコアネットワーク機器に送信することと、を含み、Ｓ１メッセージはｅＮＢとＭＭＥとの間のロジックインターフェースにサポートされるメッセージで、当該Ｓ１メッセージには、データ送信インディケーションが含まれている、制御面シグナリングによるデータ伝送方法を提供する。
【００１５】
前記データ送信インディケーションは、現在ＲＲＣシグナリングを用いてデータを送信していることを示すデータインディケーション、及び／またはデータの送信が完了したか否かを示すデータ送信完了インディケーションを含む。
【００１６】
前記アクセスネットワーク機器がデータ伝送制御情報に基づき、バッファリングされたデータが完全なものであるか否かを判定することは、アクセスネットワーク機器がデータ伝送制御情報におけるバッファリング状態レポートＢＳＲをチェックし、ＢＳＲが送信すべき後続のデータがないことを示す場合、バッファリングしたデータが完全なものであると判定し、そうでない場合、バッファリングしたデータが不完全であると判定するという方式と、アクセスネットワーク機器がデータ伝送制御情報におけるデータパケット制御情報をチェックし、データパケット制御情報が送信完了していないデータパケットの数がデフォルト値であることを示す場合、バッファリングしたデータが完全なものであると判定し、そうでない場合、バッファリングしたデータが不完全であると判定するという方式と、アクセスネットワーク機器がデータ伝送制御情報におけるデータ送信完了インディケーションをチェックし、データ送信完了インディケーションがデータ送信完了を示す場合、バッファリングしたデータが完全なものであると判定し、そうでない場合、バッファリングしたデータが不完全であると判定するという方式、のいずれか１つを含む。
【００１７】
前記Ｓ１メッセージは、初期ユーザ機器メッセージ、上がりリンク非アクセス層伝送メッセージ、または自己定義されたメッセージのいずれか１つである。
【００１８】
前記アクセスネットワーク機器がバッファリングしたデータが不完全であると判定した後、方法は、アクセスネットワーク機器がデータ伝送制御タイマーをＯＮにすることをさらに含み、データ伝送制御タイマーがオーバータイムすると、アクセスネットワーク機器は、Ｓ１メッセージによって、バッファリングしたデータをコアネットワーク機器に送信し、後続の接続確立プロセスを完成するステップ、または、ユーザ機器のＲＲＣ接続をリリースし、ＲＲＣ接続がリリースされた原因をユーザに示すステップのいずれか１つを実行する。
【００１９】
前記データ送信完了インディケーションはデータ伝送制御情報の中のデータ送信完了インディケーションである、または、データ送信完了インディケーションはバッファリングしたデータが完全なものであるか否かの判定結果に基づいてアクセスネットワーク機器によって生成されたものである。
【００２０】
本発明実施例のもう一つの態様によると、コアネットワーク機器がアクセスネットワーク機器からのＳ１メッセージを受信することと、コアネットワーク機器がデータを後続コアネットワークノードに送信するか否かを判定することと、コアネットワーク機器が、当該データを後続コアネットワークノードに送信すると判定した場合、データを後続コアネットワークノードに送信することと、コアネットワーク機器が、データを後続コアネットワークノードに送信しないと判定した場合、当該データを破棄することと、コアネットワーク機器が後続のＲＲＣ接続をする、または、ＲＲＣ接続をリリースすることと、を含み、Ｓ１メッセージは、ｅＮＢとＭＭＥとの間のロジックインターフェースにサポートされるメッセージで、データとデータ送信インディケーションが含まれている、制御面シグナリングによるデータ伝送方法を提供する。
【００２１】
前記コアネットワーク機器がデータを後続コアネットワークノードに送信するか否かを判定することは、コアネットワーク機器がデータに対応するユーザ機器サブスクリプト情報に基づいて判定する方式と、コアネットワーク機器がデータ送信インディケーションに基づいて判定する方式と、の少なくとも１つを含む。
【００２２】
前記コアネットワーク機器は、データに対応するユーザ機器のサブスクリプト情報、コアネットワーク機器が後続ノードにデータを送信してからの所定時間内に送信すべき下りデータがあるか否か、及びコアネットワーク機器とデータに対応するユーザ機器との事前約束情報、のいずれか１つに基づいて、後続ＲＲＣ接続をするか、それとも、ＲＲＣ接続をリリースするかを決定する。
【００２３】
本発明の実施例は、さらに、現在伝送すべきデータのデータ量が閾値を超えたか否かを判定するように構成されているデータ量判定モジュールと、データ量判定モジュールの判定結果が「ＹＥＳ」である場合、現在伝送すべきデータを複数回に分けて、アクセスネットワーク機器に対して現在受信したデータをバッファリングするよう指示するデータ伝送制御情報が含まれている無線リソース制御ＲＲＣシグナリングの非アクセス層プロトコルデータユニットＮＡＳ  ＰＤＵに乗せ、アクセスネットワーク機器に送信するように構成されている伝送すべきデータ送信モジュールと、を含むユーザ機器を提供する。
【００２４】
上記ユーザ機器は、アクセスネットワーク機器またはコアネットワーク機器からのシグナリングを受信するように構成されているシグナリング受信モジュールと、シグナリング受信モジュールが受信したシグナリングに基づき、後続ＲＲＣ接続を確立する、またはＲＲＣ接続をリリースするように構成されている接続処理モジュールと、をさらに含む。
【００２５】
本発明の実施例は、さらに、ＲＲＣシグナリングのＮＡＳ  ＰＤＵに乗せられているユーザ機器からのデータを受信するように構成されているデータ受信モジュールと、ＲＲＣシグナリングに含まれているデータ伝送制御情報に基づき、データ受信モジュールの受信したデータをバッファリングするように構成されているデータバッファリングモジュールと、データ伝送制御情報に基づき、データバッファリングモジュールによってバッファリングされたデータが完全なものであるか否かを判定するように構成されているデータ完全性判定モジュールと、データ完全性判定モジュールがバッファリングされたデータが完全なものであると判定した場合、Ｓ１メッセージによって、バッファリングされたデータをコアネットワーク機器に送信するように構成されているデータ送信モジュールと、を含み、Ｓ１メッセージはｅＮＢとＭＭＥとの間のロジックインターフェースにサポートされるメッセージで、当該Ｓ１メッセージには、データ送信インディケーションが含まれているアクセスネットワーク機器を提供する。
【００２６】
上記アクセスネットワーク機器は、データ完全性判定モジュールがバッファリングされたデータが不完全であると判定すると、データ伝送制御タイマーをＯＮにするように構成されているタイマーＯＮモジュールと、タイマーＯＮモジュールによってＯＮにされたデータ伝送制御タイマーがオーバータイムした場合、Ｓ１メッセージによって、バッファリングされたデータをコアネットワーク機器に送信し、後続の接続確立プロセスを完成する、またはユーザ機器のＲＲＣ接続をリリースし、ＲＲＣ接続がリリースされた原因をユーザに示すように構成されているタイミング処理モジュールと、をさらに含む。
【００２７】
本発明の実施例は、さらに、アクセスネットワーク機器からのＳ１メッセージを受信するように構成されているメッセージ受信モジュールと、メッセージ受信モジュールによって受信されたＳ１メッセージにおけるデータを後続コアネットワークノードに送信するか否かを判定するように構成されている判定モジュールと、判定モジュールの判定結果が「ＹＥＳ」である場合、データを後続コアネットワークノードに送信し、判定モジュールの判定結果が「ＮＯ」である場合、当該データを破棄するように構成されているデータ処理モジュールと、データ処理モジュールによってデータの処理が完了された後、後続のＲＲＣ接続をする、或いは、ＲＲＣ接続をリリースするように構成されている接続処理モジュールと、を含み、上記Ｓ１メッセージは、ｅＮＢとＭＭＥとの間のロジックインターフェースにサポートされるメッセージで、データとデータ送信インディケーションが含まれているコアネットワーク機器を提供する。
【００２８】
本発明の実施例は、さらに、上記ユーザ機器、アクセスネットワーク機器、及びコアネットワーク機器を含む制御面シグナリングによるデータ伝送システムを提供する。
【００２９】
本発明の実施例によれば、データ量が閾値を超えたデータを、複数回分けて、制御面シグナリングによってアクセスネットワーク機器に送信することで、データ伝送によるシグナリングオーバヘッドを減少させるとともに、関連技術において制御面シグナリングによるデータ送信方式によって大きいデータ量の送信が実現できない課題を解決し、ネットワーク性能を最適化にし、システムの能率を向上させる。
【００３０】
以下に記載の図面は、本発明の実施例をさらに理解するために提供され、本願の一部を構成し、本発明の好適な実施例及びその説明は本発明を解釈するものであり、本発明を限定するものではない。
【図面の簡単な説明】
【００３１】
【図１】本発明の実施例に係るユーザ機器側から説明する制御面シグナリングによるデータ伝送方法のフローチャート図である。
【図２】本発明の実施例に係るアクセスネットワーク機器側から説明する制御面シグナリングによるデータ伝送方法のフローチャート図である。
【図３】本発明の実施例に係るコアネットワーク機器側から説明する制御面シグナリングによるデータ伝送方法のフローチャート図である。
【図４】本発明の実施例に係るユーザ機器の構成を示すブロック図である。
【図５】本発明の実施例に係るアクセスネットワーク機器の構成を示すブロック図である。
【図６】本発明の実施例に係るコアネットワーク機器の構成を示すブロック図である。
【図７】本発明の実施例に係る制御面シグナリングによるデータ伝送システムの構成を示すブロック図である。
【図８】本発明の実施例１に係るユーザ機器がデータを送信してから、後続の接続確立を引き続き完成するプロセスを示すフローチャート図である。
【図９】本発明の実施例２に係るユーザ機器がデータを送信してから、ＲＲＣ接続をリリースするプロセスを示すフローチャート図である。
【図１０】本発明の実施例３に係るユーザ機器がＲＲＣ接続確立完了メッセージと新しいＲＲＣメッセージとの両方を用いてデータを送信し、アクセスネットワーク機器が初期ユーザ機器メッセージを用いてデータを送信し、データ送信完了後、ＲＲＣ接続をリリースするフローチャート図である。
【図１１】本発明の実施例４に係るユーザ機器がＲＲＣ接続確立完了メッセージと上がりリンク情報伝送メッセージとの両方を用いてデータを送信し、アクセスネットワーク機器が上がりリンク非アクセス層伝送メッセージを用いてデータを送信し、データ送信完了後、後続の接続確立を引き続き完成するプロセスを示すフローチャート図である。
【図１２】本発明の実施例５に係るユーザ機器が新しいＲＲＣメッセージのみを用いてデータを送信し、アクセスネットワーク機器が新しいＳ１メッセージを用いてデータを送信し、データ送信完了後、後続の接続確立を引き続き完成するプロセスを示すフローチャート図である。
【図１３】本発明の実施例６に係るユーザ機器が上がりリンク情報伝送メッセージのみを用いてデータを送信し、アクセスネットワーク機器が新しいＳ１メッセージを用いてデータを送信し、データ送信完了後、ＲＲＣ接続をリリースするフローチャート図である。
【図１４】本発明の実施例７に係るユーザ機器が新しいＲＲＣメッセージのみを用いてデータを送信し、アクセスネットワーク機器が初期ユーザ機器メッセージを用いてデータを送信し、データ送信完了後、後続の接続確立を引き続き完成するプロセスを示すフローチャート図である。
【図１５】本発明の実施例８に係るユーザ機器がＲＲＣ接続確立完了メッセージのみを用いてデータを送信し、ｅＮＢにおけるデータ制御タイマーが時間切れになったため、ｅＮＢがＲＲＣ接続リリースを開始するプロセスを示すフローチャート図である。
【図１６】本発明の実施例９に係るユーザ機器がＲＲＣ接続確立完了メッセージのみを用いてデータを送信し、アクセスネットワーク機器が初期ユーザ機器メッセージを用いてデータを送信し、データ送信完了後、後続の接続確立を引き続き完成するプロセスを示すフローチャート図である。
【図１７】本発明の実施例１０に係るユーザ機器がＲＲＣ接続確立完了メッセージのみを用いてデータを送信し、アクセスネットワーク機器が新しいＳ１メッセージを用いてデータを送信し、データ送信完了後、ＲＲＣ接続をリリースするフローチャート図である。
【図１８】本発明の実施例１１に係るユーザ機器がＲＲＣ接続確立完了メッセージのみを用いてデータを送信し、ｅＮＢにおけるデータ制御タイマーが時間切れになり、ｅＮＢが後続のＲＲＣ接続確立を続けるプロセスを示すフローチャート図である。
【図１９】本発明の実施例に係るＭＡＣサブヘッダーにおける第１バイトのビット割当状況を示す図である。
【発明を実施するための形態】
【００３２】
以下、図面を参照しながら、実施例を結合して本発明を詳しく説明する。なお、本願の実施例および実施例の中の特徴は、衝突がない場合には、互いに組み合わせることが可能である。
【００３３】
本発明の実施例は、既存の制御面シグナリングによるデータ伝送によって、通常、データ量がある範囲にある場合、またはデータパケットが複数である場合における伝送が実現できないことを考慮して、制御面シグナリングによるデータ伝送の方法を最適化にすることで、データ伝送によるシグナリングオーバヘッドを減少させ、ネットワーク性能を最適化にし、システム能率を向上させることができる。これに基づき、本発明の実施例は、制御面シグナリングによってデータを伝送する方法、機器及びシステムを提供し、以下、具体的な実施例を通して説明する。
【００３４】
図１はユーザ機器側から説明する制御面シグナリングによるデータ伝送方法を示すフローチャート図である。当該方法は、以下のようなステップを含む。
ステップＳ１２：ユーザ機器は、現在伝送すべきデータのデータ量が閾値を超えたか否かを判定する。当該閾値は、実態に応じて設定されることができ、例えば、１０００バイトであってもよく、伝送すべきデータのデータ量がある範囲にある（該当する）、またはデータパケットの数が複数である場合、当該伝送すべきデータをデータ量が大きいものとすることができる。
【００３５】
本発明の実施例において、ユーザ機器は、例えば、携帯電話などの一般の端末機器であってもよいし、ＭＴＣ機器であってもよい。
【００３６】
ステップＳ１４：そうである場合、ユーザ機器は、現在伝送すべきデータを複数回分けて、無線リソース制御（Ｒａｄｉｏ  Ｒｅｓｏｕｒｃｅ  Ｃｏｎｔｒｏｌ、ＲＲＣと略称）シグナリングにおけるＮＡＳ（Ｎｏｎ−Ａｃｃｅｓｓ  Ｓｔｒａｔｕｍ）ＰＤＵ（Ｐｒｏｔｏｃｏｌ  Ｄａｔａ  Ｕｎｉｔ、プロトコルデータユニット）に乗せて、アクセスネットワーク機器に送信し、そのうち、本実施例のＲＲＣシグナリングには、アクセスネットワーク機器に対して現在受信したデータをバッファリングするよう指示する（現在受信したデータのバッファリングを示す）データ伝送制御情報が含まれている。
【００３７】
本実施例は、データ量が閾値を超えたデータを、複数回分けて、制御面メッセージによってアクセスネットワーク機器に送信することで、データ伝送によるシグナリングオーバヘッドを減少させるとともに、関連技術において制御面シグナリングによるデータ送信方式によって大きいデータ量の送信が実現できない課題を解決して、ネットワーク性能を最適化にし、システムの能率を向上させる。
【００３８】
現在受信したデータをバッファリングするか否かについてアクセスネットワーク機器に指示することは実際の需要に応じて、様々な方式で実現することができるが、本発明の実施例において、データ伝送制御情報には、少なくとも下記情報のいずれか１つが含まれている。
１）現在ＲＲＣシグナリングを用いてデータを送信していることを示すデータインディケーション。
２）データの送信がすでに終了したか否かを示すデータ送信完了インディケーション。
３）現在伝送すべきデータの伝送状況をアクセスネットワーク機器に示すデータパケット制御情報。例えば、当該メッセージがデフォルト（“０”）である場合、データ送信が完了したことを表し、そうでない場合、データ送信が完了していないことを表す。
４）これから送信すべきデータがあるか否かを示すＢＳＲ（Ｂｕｆｆｅｒ  Ｓｔａｔｕｓ  Ｒｅｐｏｒｔ、バッファ状態報告）。ＢＳＲが送信すべき後続のデータがないと示す場合、データ送信が完了したことを表し、そうでない場合、データ送信が完了していないことを表す。
【００３９】
上記データ伝送制御情報の実現方式は様々あり、いろいろなユーザ機器のニーズに満足することができる。
【００４０】
既存ＲＲＣシグナリングの構造を考慮して、開発コストを低減させ、既存システムとの互換性を持つために、上記データインディケーションの携帯方式は、ＲＲＣシグナリングに追加したＩＥ（ｉｎｆｏｒｍａｔｉｏｎ  ｅｌｅｍｅｎｔ、情報エレメント）にデータインディケーションを含ませるという方式、ＲＲＣシグナリングに追加したＭＡＣ（Ｍｅｄｉａ  Ａｃｃｅｓｓ  Ｃｏｎｔｒｏｌ、メディアアクセス制御）ＣＥ（Ｃｏｎｔｒｏｌ  ｅｌｅｍｅｎｔ、制御エレメント）にデータインディケーションを含ませるという方式、又はＭＡＣサブヘッダーの予約ビットにデータインディケーションを含ませるという方式のいずれか一つを含むことができる。
【００４１】
上記データインディケーションと同様に、上記データ送信完了インディケーションの携帯方式は、ＲＲＣシグナリングに追加したＩＥにデータ送信完了インディケーションを含ませるという方式、ＲＲＣシグナリングに追加したＭＡＣ ＣＥにデータ送信完了インディケーションを含ませるという方式、及びＭＡＣサブヘッダーの予約ビットにデータ送信完了インディケーションを含ませるという方式のいずれか１つを含むこともできる。
【００４２】
上記データパケット制御情報は、送信が完了していないデータ量、データパケット数、単一のデータパケットの送信回数の少なくとも１つを含むことが好ましい。当該方式の実現が簡単で、シグナリングオーバヘッドが小さい。
【００４３】
上記ＲＲＣシグナリングは、ＲＲＣ接続確立完了メッセージ、上がりリンク情報伝送メッセージ（Ｕｐ  Ｌｉｎｋ  Ｉｎｆｏｒｍｓｔｉｏｎ  Ｔｒａｎｓｆｅｒ  Ｍｅｓｓａｇｅ）、または実際の応用ニーズに応じて自己定義されたメッセージなどのような新しいＲＲＣメッセージの中の少なくとも１つを含む。この方式によれば、実現の適応性を向上させ、様々な応用ニーズに応えることができる。
【００４４】
本実施例のユーザ機器が現在送信すべきデータの送信を完成した後、上記方法は、ユーザ機器がアクセスネットワーク機器またはコアネットワーク機器からのシグナリングを受信することと、シグナリングに基づき、後続のＲＲＣ接続を確立する、またはＲＲＣ接続をリリースすることとをさらに含んでも良い。このような処理方式は、後続プロセスの完全性を確保することができる。
【００４５】
図２はアクセスネットワーク側から説明する制御面シグナリングによるデータ伝送方法を示すフローチャート図である。当該方法は以下のようなステップを含む。
【００４６】
ステップＳ２２：アクセスネットワーク機器はユーザ機器からのデータを受信し、当該データはＲＲＣシグナリングにおけるＮＡＳ  ＰＤＵに乗せられる。
【００４７】
ステップＳ２４：アクセスネットワーク機器は、上記ＲＲＣシグナリングに含まれているデータ伝送制御情報により上記データをバッファリングする。即ち、アクセスネットワーク機器は、ＲＲＣシグナリングにおいて、データ伝送制御情報を見つけ出すと、ユーザ機器が大きい量のデータを複数回分けて伝送すると判定し、そして、現在のデータをバッファリングする。
【００４８】
ステップＳ２６：アクセスネットワーク機器は上記データ伝送制御情報に基づき、バッファリングしたデータが完全なものであるか否かを判定する。
【００４９】
ステップＳ２８：完全なものである場合、アクセスネットワーク機器はＳ１メッセージによって、バッファリングしたデータをコアネットワーク機器に送信し、そのうち、上記Ｓ１メッセージはｅＮＢ（Ｅ−ＵＴＲＡＮ  Ｎｏｄｅ  Ｂ、進化したグローバル陸地無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、Ｅ−ＵＴＲＡＮ）ノードＢ）とＭＭＥ（Ｍｏｂｉｌｉｔｙ  Ｍａｎａｇｅｍｅｎｔ  Ｅｎｔｉｔｙ、モビリティ管理エンティティ）との間のロジックインターフェースにサポートされるメッセージで、当該Ｓ１メッセージにはデータ送信インディケーションが含まれている。
【００５０】
バッファリング中のデータが不完全である場合、ユーザ機器のデータを引き続き受信する必要があるが、長い期間内に当該ユーザ機器のデータを受け取っていない場合、当該バッファリングされたデータを破棄する方式で処理することができる。或いは、バッファリング中のデータをとりあえずコアネットワーク機器に送信してもよい。実際のニーズに応じてどのような方式により処理するかを決定することができる。
【００５１】
本実施例のアクセスネットワーク機器は、ユーザ機器からのデータを受信してからバッファリングし、バッファリングしたデータが完全なものになってからコアネットワーク機器に送信するようになっている。このように、データ伝送によるシグナリングオーバヘッドを減少させるとともに、関連技術において制御面シグナリングによるデータ送信方式によって大きいデータ量の送信が実現できない課題を解決して、ネットワーク性能を最適化にし、システムの能率を向上させる。
【００５２】
上記データ送信インディケーションには、今ＲＲＣシグナリングを用いてデータを送信していることを示すデータインディケーション、及び／またはデータの送信が完了したか否かを示すデータ送信完了インディケーションが含まれている。
【００５３】
本実施例におけるアクセスネットワーク機器がＲＲＣシグナリングに含まれているデータ伝送制御情報に基づき、バッファリングしたデータが完全なものであるか否かを判定することは、下記のような方式のいずれか１つを含む。
１）アクセスネットワーク機器がデータ伝送制御情報におけるバッファリング状態レポートＢＳＲをチェックし、ＢＳＲが送信すべき後続のデータがないことを示す場合、バッファリングしたデータが完全なものであると判定し、そうでない場合、バッファリングしたデータが不完全であると判定する。
２）アクセスネットワーク機器がデータ伝送制御情報におけるデータパケット制御情報をチェックし、データパケット制御情報が送信が完了していないデータパケットの数がデフォルトであることを示す場合、バッファリングしたデータが完全なものであると判定し、そうでない場合、バッファリングしたデータが不完全であると判定する。例えば、送信が完了していないデータパケット数がデフォルト（“０”）である場合、データ送信が完了したことを表し、そうでない場合、データの送信が完了していないことを表す。
３）アクセスネットワーク機器がデータ伝送制御情報におけるデータ送信完了インディケーションをチェックし、データ送信完了インディケーションがデータ送信が完了したことを示す場合、バッファリングしたデータが完全なものであると判定し、そうでない場合、バッファリングしたデータが不完全であると判定する。
【００５４】
具体的に実現する際に、上記Ｓ１メッセージは、初期ユーザ機器メッセージ（ｉｎｉｔｉａｌ  ＵＥ  ｍｅｓｓａｇｅ）、上がりリンク非アクセス層伝送メッセージ（ＵＰＬＩＮＫ  ＮＡＳ  ＴＲＡＮＳＰＯＲＴ）、または自己定義されるメッセージのいずれか１つであることができる。
【００５５】
本実施例において、アクセスネットワーク機器がバッファリングしたデータが不完全であると判定する場合、当該アクセスネットワーク機器がデータ伝送制御タイマー（例えばＴｓｍａｌｌｄａｔａ）をＯＮにし、データ伝送制御タイマーがオーバータイムするとき、当該アクセスネットワーク機器が、Ｓ１メッセージによって、バッファリングしたデータをコアネットワーク機器に送信し、後続の接続確立プロセスを完成するステップ、またはユーザ機器のＲＲＣ接続をリリースして、ユーザにＲＲＣ接続のリリース原因を知らせるステップを実行することができる。
【００５６】
上記アクセスネットワーク機器はコアネットワーク機器にデータ送信完了インディケーションを送信し、当該インディケーションはユーザ機器から受信したものであってもよいし、アクセスネットワーク機器がデータ受信が完成したか否かを判定する結果により生成したものであってもよい。これに基づき、上記データ送信完了インディケーションはデータ伝送制御情報の中のデータ送信完了インディケーションである、またはデータ送信完了インディケーションはアクセスネットワーク機器がバッファリングしたデータが完全なものであるか否かを判定する結果により生成したものである。
【００５７】
図３は本発明の実施例に係るコアネットワーク側から説明する制御面シグナリングによるデータ伝送方法を示すフローチャート図である。当該方法は以下のようなステップを含む。
【００５８】
ステップＳ３２：コアネットワーク機器はアクセスネットワーク機器からのＳ１メッセージを受信し、当該Ｓ１メッセージには、データとデータ送信インディケーションが含まれており、当該データ送信インディケーションについて上述したようなものであり、ここでは詳しく説明しない。
【００５９】
ステップＳ３４：コアネットワーク機器はデータを後続コアネットワークノードに送信するか否かを判断し、そうである場合、ステップ３６を実行し、そうでない場合、ステップ３８を実行する。
【００６０】
ステップＳ３６：コアネットワーク機器は当該データを後続コアネットワークノードに送信する。
【００６１】
ステップＳ３８：コアネットワーク機器は当該データを破棄する。
【００６２】
ステップＳ４０：コアネットワーク機器は後続ＲＲＣ接続をする、または、ＲＲＣ接続をリリースする。
【００６３】
本実施例のコアネットワーク機器は、Ｓ１メッセージによってアクセスネットワーク機器からのデータを受信し、大きいデータ量のデータの受信と処理が実現でき、データ伝送によるシグナリングオーバヘッドを減少させるとともに、関連技術において制御面シグナリングによるデータ送信方式によって大きいデータ量の送信が実現できない課題を解決して、ネットワーク性能を最適化にし、システムの能率を向上させる。
【００６４】
本実施例において、コアネットワーク機器がデータを後続コアネットワークノードに送信するか否かを判断することは、少なくとも、コアネットワーク機器がデータに対応するユーザ機器サブスクリプト情報に基づき判断する方式、又は、コアネットワーク機器がデータ送信インディケーションに基づき判断する方式のいずれか１つを含む。
【００６５】
上記コアネットワーク機器は、データに対応するユーザ機器サブスクリプト情報、コアネットワーク機器が後続ノードにデータを送信してからの所定時間内に送信すべき下りデータがあるか否か、及びコアネットワーク機器とデータに対応するユーザ機器とが事前約束した情報のいずれか１つに基づき、後続ＲＲＣ接続をするか、またはＲＲＣ接続をリリースするかを決定する。
【００６６】
上記方法に対応して、本発明の実施例は、さらにユーザ機器を提供する。図４に示すユーザ機器の構成ブロック図を参照して、当該ユーザ機器は、
現在伝送すべきデータのデータ量が閾値を超えたか否かを判定するように構成されているデータ量判定モジュール４２と、
データ量判定モジュール４２に接続され、データ量判定モジュール４２の判定結果が「ＹＥＳ」である場合、現在伝送すべきデータを複数回分けてＲＲＣシグナリングのＮＡＳ  ＰＤＵに乗せて、アクセスネットワーク機器に送信する伝送すべきデータ送信モジュール４４とを含み、そのうち、当該ＲＲＣシグナリングには、現在受信したデータをバッファリングすることをアクセスネットワーク機器に示すデータ伝送制御情報が含まれている。
【００６７】
本実施例に係るユーザ機器は、データ量が閾値を超えたデータを、複数回分けて、制御面メッセージによってアクセスネットワーク機器に送信することで、データ伝送によるシグナリングオーバヘッドを減少させるとともに、関連技術において制御面シグナリングによるデータ送信方式によって大きいデータ量の送信が実現できない課題を解決して、ネットワーク性能を最適化にし、システムの能率を向上させる。
【００６８】
後続プロセスを完成するために、上記ユーザ機器は、さらに、アクセスネットワーク機器またはコアネットワーク機器からのシグナリングを受信するように構成されているシグナリング受信モジュールと、シグナリング受信モジュールに接続され、シグナリング受信モジュールが受信したシグナリングに基づき、後続ＲＲＣ接続を確立する、またはＲＲＣ接続をリリースする接続処理モジュールとを含む。
【００６９】
本発明の実施例は、さらに、アクセスネットワーク機器を提供する。図５に示すようなアクセスネットワーク機器の構成ブロック図を参照して、当該機器は、
ユーザ機器から送信された、無線リソース制御ＲＲＣシグナリングにおける非アクセス層プロトコルデータユニットＮＡＳ  ＰＤＵに乗せられているデータを受信するように構成されているデータ受信モジュール５２と、
データ受信モジュール５２に接続され、上記ＲＲＣシグナリングに含まれているデータ伝送制御情報に基づき、データ受信モジュールよって受信されたデータをバッファリングするように構成されているデータバッファリングモジュール５４と、
データ受信モジュール５２とデータバッファリングモジュール５４に接続され、上記データ伝送制御情報に基づき、データバッファリングモジュール５４のバッファリングしたデータが完全なものであるか否かを判定するように構成されているデータ完全性判定モジュール５６と、
データバッファリングモジュール５４とデータ完全性判定モジュール５６に接続され、データ完全性判定モジュールがバッファリングしたデータが完全なものであると判定した場合、データ送信インディケーションが含まれているＳ１メッセージによって、バッファリングしたデータをコアネットワーク機器に送信するように構成されているデータ送信モジュール５８と、を含む。
【００７０】
本実施例のアクセスネットワーク機器は、ユーザ機器からのデータを受信してからバッファリングし、バッファリングしたデータが完全なものになってからコアネットワーク機器に送信するようになっている。したがって、データ伝送によるシグナリングオーバヘッドを減少させるとともに、関連技術において制御面シグナリングによるデータ送信方式によって大きいデータ量の送信が実現できない課題を解決して、ネットワーク性能を最適化にし、システムの能率を向上させる。
【００７１】
上記アクセスネットワーク機器は、データ完全性判定モジュール５６に接続され、データ完全性判定モジュールがバッファリングしたデータが不完全なものであると判定した後、データ伝送制御タイマーをＯＮにするタイマーＯＮモジュールと、タイマーＯＮモジュールに接続され、タイマーＯＮモジュールによりＯＮにされたデータ伝送制御タイマーがオーバータイムするとき、Ｓ１メッセージによってバッファリングしたデータをコアネットワーク機器に送信するとともに、後続の接続確立プロセスを完成する、またはユーザ機器のＲＲＣ接続をリリースするとともに、ＲＲＣ接続がリリースされた原因をユーザに知らせるタイミング処理モジュールとをさらに含むことが好ましい。
【００７２】
本発明の実施例によると、さらに、コアネットワーク機器を提供する。図６に示すコアネットワーク機器の構成ブロック図を参照して、当該機器は、
アクセスネットワーク機器から送信された、データとデータ送信インディケーションとが含まれているＳ１メッセージを受信するように構成されているメッセージ受信モジュール６２と、
メッセージ受信モジュール６２に接続され、メッセージ受信モジュール６２の受信したＳ１メッセージにおけるデータを後続コアネットワークノードに送信するか否かを判定するように構成されている判定モジュール６４と、
判定モジュール６４に接続され、判定モジュール６４の判定結果が「ＹＥＳ」である場合、データを後続コアネットワークノードに送信し、判定モジュール６４の判定結果が「ＮＯ」である場合、当該データを破棄するように構成されているデータ処理モジュール６６と、
データ処理モジュール６６に接続され、データ処理モジュール６６によるデータの処理が終了された後、後続のＲＲＣ接続をするまたはＲＲＣ接続をリリースするように構成されている接続処理モジュール６８と、を含む。
【００７３】
本実施例のコアネットワーク機器は、Ｓ１メッセージによってアクセスネットワーク機器からのデータを受信し、大きいデータ量のデータの受信と処理が実現でき、データ伝送によるシグナリングオーバヘッドを減少させるとともに、関連技術において制御面シグナリングによるデータ送信方式によって大きいデータ量の送信が実現できない課題を解決して、ネットワーク性能を最適化にし、システムの能率を向上させる。
【００７４】
本発明の実施例は、さらに制御面シグナリングによってデータを伝送するシステムを提供する。図７に示す制御面シグナリングによるデータ伝送システムの構成ブロック図を参照して、当該システムは、ユーザ機器４０、アクセスネットワーク機器５０、及びコアネットワーク機器６０を含み、各機器は上述したようなものである。図７におけるユーザ機器４０は図４に示す構成を例として説明し、アクセスネットワーク機器５０は図５に示す構成を例として説明し、コアネットワーク機器６０は図６に示すような構成を例として説明する。各モジュールの機能は上記とは同様なものであり、ここでは詳しく説明しない。
【００７５】
以下、具体的な実施例により、上記制御面シグナリングによるデータ伝送方法について説明する。
【００７６】
実施例１
図８に示すようなユーザ機器がデータを送信してから、後続の接続確立を引き続き完成するプロセスを示すフローチャート図を参照して、具体的なシグナリングプロセスは以下のようなものである。
【００７７】
ステップ１０１：ユーザ機器がｅＮＢにランダムアクセスプリアンブルを送信する。
【００７８】
ユーザ機器またはＭＴＣ機器は、送信すべきデータがある場合、まず、Ｐｒｅａｍｂｌｅ（プリアンブルシーケンス）を選択し、システムにより配置されたランダムアクセスリソース情報に基づき、ｅＮＢにプリアンブルシーケンスを送信する。
【００７９】
ステップ１０２：ｅＮＢがユーザ機器にランダムアクセス応答メッセージ（Ｍｓｇ２）を送信する。
【００８０】
本実施例におけるランダムアクセス応答メッセージには、ユーザ機器の送信したランダムアクセスプリアンブルに対応するプリアンブルアイデンティティ、上がり伝送タイミング調整、ＲＲＣ接続要求メッセージのための上がりリソース割り当て、一時的Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｔｙ、セル無線ネットワーク一時アイデンティティ）などが含まれていることができる。
【００８１】
ステップ１０３：ユーザ機器がｅＮＢにＲＲＣ接続要求を送信する。
【００８２】
ユーザ機器がＭｓｇ２を受信してから、ランダムアクセス応答メッセージで割り当てられた上がりリソースによって、ＲＲＣ接続確立要求メッセージを送信する。
【００８３】
ステップ１０４：ｅＮＢがユーザ機器にＲＲＣ接続確立メッセージを送信する。
【００８４】
ｅＮＢがユーザ機器にＳＲＢ１（Ｓｉｇｎａｌｌｉｎｇ  Ｒａｄｉｏ  Ｂｅａｒｅｒ  １、シグナリング無線ベアラ  １）を確立するために、ＲＲＣ接続確立メッセージを送信し、またユーザ機器にＲＲＣ接続確立完了メッセージのための上がりリソースを割り当てる。
【００８５】
ステップ１０５：ユーザ機器がｅＮＢにＲＲＣ接続確立メッセージを送信し、当該メッセージには、データ伝送制御情報がさらに含まれている。
【００８６】
ユーザ機器は、ＲＲＣ接続確立メッセージで確立されたＳＲＢ１と割り当てられた上がりリソースにより、伝送すべきデータ量の大きさまたはデータパケットの数に基づき、制御面シグナリングによるデータ伝送を利用するか否かを決定し、制御面シグナリングによるデータ伝送を利用する場合、割り当てられた上がりリソースの大きさまたはユーザ機器とｅＮＢとの事前約束により、ｅＮＢに送信するＲＲＣ接続確立完了メッセージにデータ伝送制御情報及びデータを含ませるか否かを決定し、ＲＲＣ接続確立完了メッセージにデータを含ませない場合、ステップ１０５を実行し、そしてステップ１０６をスキップし、ステップ１０７を実行する。
【００８７】
上記データ伝送制御情報は、
現在ＲＲＣシグナリングを用いてデータを送信していることを示すデータインディケーションと、
データの送信が完了したか否かを示すデータ送信完了インディケーションと、
データパケットの伝送状況をアクセスネットワーク機器に示し、デフォルト（“０”）がデータ送信完了を表し、そうでない場合、データ送信が完了していないことを表すデータパケット制御情報と、
これから送信すべきデータがないと指示する場合、データ伝送が完了したことを表し、そうでない場合、データ送信が完了していないことを表すＢＳＲと、の１つまたはそれらの組み合わせを含む。
【００８８】
上記データ送信完了インディケーションの送信方法は、
データ伝送ためのＲＲＣシグナリングに新しいＩＥを追加し、データインディケーションを新しいＩＥに入れることと、
新しいＭＡＣ  ＣＥによってデータインディケーションを乗せることと、
ＭＡＣサブヘッダーの予約ビットによってデータインディケーションを乗せることと、のいずれか１つであることができる。
【００８９】
上記データインディケーションの送信方法は、
データ伝送ためのＲＲＣシグナリングに新しいＩＥを追加し、データインディケーションを新しいＩＥに入れることと、
新しいＭＡＣ  ＣＥによってデータインディケーションを乗せることと、
ＭＡＣサブヘッダーの予約ビットによってデータインディケーションを乗せることと、のいずれか１つであることができる。
【００９０】
ステップ１０６：ユーザ機器はｅＮＢに、データ伝送制御情報とデータが含まれているＲＲＣ接続確立メッセージを送信し、ＲＲＣ接続確立メッセージで確立されたＳＲＢ１と割り当てられた上がりリソースにより、伝送すべきデータ量の大きさまたはデータパケットの数に基づき、制御面シグナリングによるデータ伝送を利用するか否かを決定し、制御面シグナリングによるデータ伝送を利用する場合、割り当てられた上がりリソースの大きさまたはユーザ機器とｅＮＢとの事前約束により、ｅＮＢに送信するＲＲＣ接続確立完了メッセージにデータ伝送制御情報及びデータを含ませるか否かを決定し、ＲＲＣ接続確立完了メッセージにデータ及びデータ送信完了インディケーションを含ませる場合、ステップ１０６を実行する。
【００９１】
上記データ伝送制御情報は、
現在ＲＲＣシグナリングを用いてデータを送信していることを示すデータインディケーションと、
データの送信が完了したか否かを示すデータ送信完了インディケーションと、
データパケットの伝送状況をアクセスネットワーク機器に示し、デフォルト（“０”）がデータ送信完了を表し、そうでない場合、データ送信が完了していないことを表すデータパケット制御情報と、
これから送信すべきデータがないと指示する場合、データ送信が完了したことを表し、そうでない場合、データ送信が完了していないことを表すＢＳＲと、の１つまたはそれらの組み合わせを含む。
【００９２】
上記データインディケーションの送信方法は、
データ伝送ためのＲＲＣシグナリングに新しいＩＥを追加し、データインディケーションを新しいＩＥに入れることと、
新しいＭＡＣ  ＣＥによってデータインディケーションを乗せることと、
ＭＡＣサブヘッダーの予約ビットによってデータインディケーションを乗せることと、のいずれか１つであることができる。
【００９３】
上記データ送信完了インディケーションの送信方法は、
データ伝送ためのＲＲＣシグナリングに新しいＩＥを追加し、データインディケーションを新しいＩＥに入れることと、
新しいＭＡＣ  ＣＥによってデータインディケーションを乗せることと、
ＭＡＣサブヘッダーの予約ビットによってデータインディケーションを乗せることと、のいずれか１つであることができる。
【００９４】
ステップ１０７：ｅＮＢがデータ伝送制御情報を受信してから、処理操作を行い、データ送信が完了したか否かを判定する。
【００９５】
前記対応する処理操作は、
ｅＮＢがデータの受信が完了したか否かを判定することと、
データ伝送制御タイマー（例えば、Ｔｓｍａｌｌｄａｔａ）をＯＮにすることと、
受信したデータをバッファリングすることと、
送信が完了していないユーザ機器のデータにリソースを割り当てることと、を含む。
【００９６】
上記ｅＮＢがデータの受信が完了したか否かを判定することは、
これから送信すべきデータがないと指示する場合、データ送信が完了したことを表し、そうでない場合、データ送信が完了していないことを表すＢＳＲにより判定することと、
送信が完了していないデータパケットの数が“０”である場合、データ送信が完了したことを表し、そうでない場合、データ送信が完了していないことを表すデータパケット制御情報により判定することと、
データ送信完了インディケーションにより判定することと、のいずれかの方法を利用することができる。
【００９７】
上記データ伝送制御タイマーは、データ伝送を制御するためのものであり、当該タイマーがオーバータイムすると、
アクセスネットワーク機器がコアネットワーク機器に、データ、データインディケーション、及びデータ送信完了インディケーションが含まれているＳ１メッセージを送信するとともに、後続の接続確立プロセスを完成する操作、または、アクセスネットワーク機器がユーザ機器のＲＲＣ接続をリリースするとともに、ＲＲＣ接続がリリースされた原因を知らせる操作を実行することができる。
【００９８】
ステップ１０８：ユーザ機器がＲＲＣシグナリングによってデータ及びデータ伝送制御情報を送信する。
【００９９】
ユーザ機器がＲＲＣシグナリングによってｅＮＢにデータ及びデータ伝送制御情報を送信し、前記ＲＲＣシグナリングは、
ＲＲＣ接続確立完了メッセージ、
上がりリンク情報伝送メッセージ、及び
新しいＲＲＣメッセージ、
のいずれか１つであることができる。
【０１００】
上記データ伝送制御情報は、
現在ＲＲＣシグナリングを用いてデータを送信していることを示すデータインディケーションと、
データの送信が完了したか否かを示すデータ送信完了インディケーションと、
データパケットの伝送状況をアクセスネットワーク機器に示し、デフォルト（“０”）がデータ送信完了を表し、そうでない場合、データ送信が完了していないことを表すデータパケット制御情報と、
これから送信すべきデータがないと指示する場合、データ送信が完了したことを表し、そうでない場合、データ送信が完了していないことを表すＢＳＲと、の１つまたはそれらの組み合わせを含む。
【０１０１】
上記データインディケーションの送信方法は、
データ伝送ためのＲＲＣシグナリングに新しいＩＥを追加し、データインディケーションを新しいＩＥに入れることと、
新しいＭＡＣ  ＣＥによってデータインディケーションを乗せることと、
ＭＡＣサブヘッダーの予約ビットによってデータインディケーションを乗せることと、のいずれか１つであることができる。
【０１０２】
上記データ送信完了インディケーションの送信方法は、
データ伝送ためのＲＲＣシグナリングに新しいＩＥを追加し、データインディケーションを新しいＩＥに入れることと、
新しいＭＡＣ  ＣＥによってデータインディケーションを乗せることと、
ＭＡＣサブヘッダーの予約ビットによってデータインディケーションを乗せることと、のいずれか１つであることができる。
【０１０３】
ステップ１０９：ｅＮＢがデータ伝送制御情報を受信してから、処理操作を行い、データの送信が完了したか否かを判定する。
【０１０４】
ｅＮＢがデータの受信が完了したか否かを判定することは、
これから送信すべきデータがないと指示する場合、データ送信が完了したことを表し、そうでない場合、データ送信が完了していないことを表すＢＳＲにより判定することと、
送信が完了していないデータパケットの数が“０”である場合、データ送信が完了したことを表し、そうでない場合、データ送信が完了していないことを表すデータパケット制御情報により判定することと、
データ送信完了インディケーションにより判定することと、のいずれかの方法を利用することができる。
【０１０５】
データの受信が完了した場合、ステップ１１０を実行し、データの受信が完了していない場合、データの受信が完了するまたはデータ伝送制御タイマーがオーバータイムになるまで、引き続きステップ１０８及びステップ１０９を実行する。本実施例において、データ伝送制御タイマーがオーバータイムすると、ステップ１１０を実行する。
【０１０６】
ステップ１１０：ｅＮＢがＳ１メッセージによってＭＭＥにデータ、データインディケーション、及びデータ送信完了インディケーションを送信するとともに、データ制御タイマーをＯＦＦにする。
【０１０７】
上記Ｓ１メッセージは、初期ユーザ機器メッセージ、上がりリンク非アクセス層伝送メッセージ、新しいＳ１メッセージのいずれか１つであることができる。
【０１０８】
本実施例において、データインディケーションをコアネットワーク機器に送信することは、データを送信するＳ１メッセージにデータインディケーションを追加する方法を利用することができる。
【０１０９】
本実施例において、データ送信完了インディケーションをコアネットワーク機器に送信することは、データを送信するＳ１メッセージにデータ送信完了インディケーションを追加する方法を利用することができる。データ送信完了インディケーションは、ユーザ機器から受信して得られるものであってもよいし、アクセスネットワーク機器がデータの受信が完了したか否かを判定する結果により生成されるものであってもよい。
【０１１０】
ステップ１１１：ＭＭＥは、ユーザ機器が制御面を使用してデータを送信することができるか否かを判定する。
【０１１１】
前記ユーザ機器が制御面を使用してデータを送信することができるか否かの判定は、ユーザ機器のサブスクリプト情報により判定することができる。本実施例におけるユーザ機器は、データ最適化方法（即ち本発明実施例に係る上記方法）を用いてデータを送信することができる。
【０１１２】
ステップ１１２：ＭＭＥは、受信したデータを後続のコアネットワークノードに送信する。
【０１１３】
ステップ１１３：ＭＭＥは、引き続き後続のＲＲＣ接続プロセスを完成するか、それともＲＲＣ接続をリリースするかを判定する。
【０１１４】
ＭＭＥは、ユーザ機器のサブスクリプト情報、後続ノードにデータを送信してからの所定時間内に送信すべき下りデータがあるか否か、ユーザ機器とＭＭＥとの事前約束のいずれか１つにより、引き続き後続のＲＲＣ接続プロセスを完成するか、それともＲＲＣ接続をリリースするかを判定する。
【０１１５】
ステップ１１４：ＭＭＥはｅＮＢに初期コンテキスト確立要求メッセージを送信する。
【０１１６】
ＭＭＥは、ユーザ機器に対応する接続情報をｅＮＢに通知し、アクセス層セキュリティコンテキスト情報、切り替え制限情報、ＱｏＳ（Ｑｕａｌｉｔｙ  Ｏｆ  Ｓｅｒｖｉｃｅ）情報、サービスゲートウェイの、ユーザ面のためのトンネル端末アイデンティティ及びアドレス情報などが含まれる。
【０１１７】
ステップ１１５：ｅＮＢがユーザ機器にセキュリティモードコマンドメッセージを送信する。
【０１１８】
ｅＮＢは、ユーザ機器またはＭＴＣ機器にセキュリティモードコマンドを送信し、ユーザ機器のセキュリティ性をアクティブ化にする。
【０１１９】
ステップ１１６：ユーザ機器がｅＮＢにセキュリティモード完成メッセージを送信する。
【０１２０】
ユーザ機器がｅＮＢにセキュリティモード完成メッセージを送信し、セキュリティ性がアクティブ化されたことをｅＮＢに通知する。
【０１２１】
ステップ１１７：ｅＮＢがユーザ機器にＲＲＣ接続再配置メッセージを送信する。
【０１２２】
ｅＮＢは、ユーザ機器に、データ無線ベアラ（ＤＲＢ、Ｄａｔａ  Ｒａｄｉｏ  Ｂｅａｒｅｒ）及びＳＲＢ２（Ｓｉｇｎａｌｌｉｎｇ  Ｒａｄｉｏ  Ｂｅａｒｅｒ  ２、シグナリング無線ベアラ  ２）を確立するためのＲＲＣ接続再配置メッセージを送信する。
【０１２３】
なお、ステップ１１７はステップ１１６の前に行われても良い。
【０１２４】
ステップ１１８：ユーザ機器がｅＮＢにＲＲＣ接続再配置完了メッセージを送信する。
【０１２５】
ユーザ機器は、ｅＮＢにＲＲＣ接続再配置完了メッセージを送信し、ｅＮＢにデータ無線ベアラ及びＳＲＢ２の配置が完了したことを通知する。
【０１２６】
ステップ１１９：ｅＮＢがＭＭＥに初期コンテキスト確立応答メッセージを送信する。
【０１２７】
ｅＮＢがＭＭＥに初期コンテキスト確立応答メッセージを送信し、メッセージには、ｅＮＢのトンネル端末アイデンティティとｅＮＢの、Ｓ１インターフェースユーザ面下りサービスのためのアドレス情報が含まれている。
【０１２８】
実施例２
図９に示す、ユーザ機器がデータを送信してからＲＲＣ接続をリリースするプロセスを示すフローチャート図を参照して、当該プロセスは、以下のようなステップを含む。
【０１２９】
ステップ２０１：ユーザ機器がｅＮＢにランダムアクセスプリアンブルを送信する。
【０１３０】
ユーザ機器またはＭＴＣ機器に送信すべきデータがある場合、まず、Ｐｒｅａｍｂｌｅを選択し、そして、システムにより配置されたランダムアクセスリソース情報に基づき、ｅＮＢにプリアンブルシーケンスを送信する。
【０１３１】
ステップ２０２：ｅＮＢがユーザ機器にランダムアクセス応答メッセージ（Ｍｓｇ２）を送信する。
【０１３２】
ランダムアクセス応答メッセージには、ユーザ機器の送信したランダムアクセスプリアンブルに対応するプリアンブルアイデンティティ、上がり伝送タイミング調整、ＲＲＣ接続要求メッセージのための上がりリソース割り当て、一時的Ｃ−ＲＮＴＩなどが含まれていることが可能である。
【０１３３】
ステップ２０３：ユーザ機器がｅＮＢにＲＲＣ接続要求を送信する。
【０１３４】
ユーザ機器は、Ｍｓｇ２を受信した後、ランダムアクセス応答メッセージで割り当てられた上がりリソースによって、ＲＲＣ接続確立要求メッセージを送信する。
【０１３５】
ステップ２０４：ｅＮＢがユーザ機器にＲＲＣ接続確立メッセージを送信する。
【０１３６】
ｅＮＢは、ユーザ機器にＳＲＢ１を確立するためのＲＲＣ接続確立メッセージを送信し、また、ユーザ機器にＲＲＣ接続確立完了メッセージのための上がりリソースを割り当てる。
【０１３７】
ステップ２０５：ユーザ機器がｅＮＢにＲＲＣ接続確立メッセージを送信し、当該メッセージには、データ伝送制御情報がさらに含まれている。
【０１３８】
ユーザ機器は、ＲＲＣ接続確立メッセージで確立されたＳＲＢ１と割り当てられた上がりリソースにより、伝送すべきデータ量の大きさまたはデータパケットの数に基づき、制御面シグナリングによるデータ伝送を利用するか否かを決定し、制御面シグナリングによるデータ伝送を利用する場合、割り当てられた上がりリソースの大きさまたはユーザ機器とｅＮＢとの事前約束により、ｅＮＢに送信するＲＲＣ接続確立完了メッセージにデータ伝送制御情報及びデータを含ませるか否かを決定し、ＲＲＣ接続確立完了メッセージにデータを含ませない場合、ステップ２０５を実行し、そしてステップ２０６をスキップし、ステップ２０７を実行する。
【０１３９】
ステップ２０６：ユーザ機器がｅＮＢに、データ伝送制御情報とデータが含まれているＲＲＣ接続確立メッセージを送信する。
【０１４０】
ユーザ機器は、ＲＲＣ接続確立メッセージで確立されたＳＲＢ１と割り当てられた上がりリソースにより、伝送すべきデータ量の大きさまたはデータパケットの数に基づき、制御面シグナリングによるデータ伝送を利用するか否かを決定し、制御面シグナリングによるデータ伝送を利用する場合、割り当てられた上がりリソースの大きさまたはユーザ機器とｅＮＢとの事前約束により、ｅＮＢに送信するＲＲＣ接続確立完了メッセージにデータ伝送制御情報及びデータを含ませるか否かを決定し、ＲＲＣ接続確立完了メッセージにデータ及びデータ送信完了インディケーションを含ませる場合、ステップ２０６を実行する。
【０１４１】
なお、データ伝送制御情報の詳しい内容、データ送信完了インディケーションの送信方法、データインディケーションの送信方法は、上記実施例１と同様であるため、ここでは詳しく説明しない。
【０１４２】
ステップ２０７：ｅＮＢは、データ伝送制御情報を受信してから、処理操作を行い、データ送信が完了したか否かを判定する。前記対応する処理操作は、
ｅＮＢがデータの受信が完了したか否かを判定することと、
データ伝送制御タイマー（例えば、Ｔｓｍａｌｌｄａｔａ）をＯＮにすることと、
受信したデータをバッファリングすることと、
次のデータにリソースを割り当てることと、を含む。
【０１４３】
上記ｅＮＢがデータの受信が完了したか否かを判定することは、
これから送信すべきデータがないと指示する場合、データ送信が完了したことを表し、そうでない場合、データ送信が完了していないことを表すＢＳＲにより判定することと、
送信が完了していないデータパケットの数が“０”である場合、データ送信が完了したことを表し、そうでない場合、データ送信が完了していないことを表すデータパケット制御情報により判定することと、
データ送信完了インディケーションにより判定することと、のいずれかの方法を利用することができる。
【０１４４】
上記データ伝送制御タイマーは、データ伝送を制御するためのものであり、当該タイマーがオーバータイムすると、
アクセスネットワーク機器がコアネットワーク機器に、データ、データインディケーション、及びデータ送信完了インディケーションが含まれているＳ１メッセージを送信するとともに、後続の接続確立プロセスを完成する操作、または、アクセスネットワーク機器がユーザ機器のＲＲＣ接続をリリースするとともに、ＲＲＣ接続がリリースされた原因を知らせる操作を実行することができる。
【０１４５】
ステップ２０８：ユーザ機器がＲＲＣシグナリングによってデータ及びデータ伝送制御情報を送信する。ユーザ機器がＲＲＣシグナリングによってｅＮＢにデータ及びデータ送信完了インディケーションを送信し、前記ＲＲＣシグナリングは、  ＲＲＣ接続確立完了メッセージ、上がりリンク情報伝送メッセージ、及び  新しいＲＲＣメッセージ、のいずれか１つであることができる。
【０１４６】
ステップ２０９：ｅＮＢがデータ伝送制御情報を受信してから、処理操作を行い、データの送信が完了したか否かを判定する。
【０１４７】
ｅＮＢがデータの受信が完了したか否かを判定することは、
これから送信すべきデータがないと指示する場合、データ送信が完了したことを表し、そうでない場合、データ送信が完了していないことを表すＢＳＲにより判定することと、
送信が完了していないデータパケットの数が“０”である場合、データ送信が完了したことを表し、そうでない場合、データ送信が完了していないことを表すデータパケット制御情報により判定することと、
データ送信完了インディケーションにより判定することと、のいずれかの方法を利用することができる。
【０１４８】
データの受信が完了すると、ステップ２１０を実行し、データの受信が完了していない場合、データの受信が完了するまたはデータ伝送制御タイマーがオーバータイムになるまで、引き続きステップ２０８及びステップ２０９を実行する。本実施例において、データ伝送タイマーがオーバータイムすると、ステップ２１０を実行する。
【０１４９】
ステップ２１０：ｅＮＢがＳ１メッセージによってＭＭＥにデータ、データインディケーション、及びデータ送信完了インディケーションを送信するとともに、データ制御タイマーをＯＦＦにする。
【０１５０】
なお、Ｓ１メッセージは実施例１に説明したものと同様で、ここでは詳しく説明しない。
【０１５１】
本実施例において、データインディケーションをコアネットワーク機器に送信することは、データを送信するＳ１メッセージにデータインディケーションを追加する方法を利用することができる。データ送信完了インディケーションをコアネットワーク機器に送信することは、データを送信するＳ１メッセージにデータ送信完了インディケーションを追加する方法を利用することができる。
【０１５２】
ステップ２１１：ＭＭＥは、ユーザ機器が制御面を使用してデータを送信することができるか否かを判定する。
【０１５３】
前記ユーザ機器が制御面を使用してデータを送信することができるか否かの判定は、ユーザ機器のサブスクリプト情報により判定することができる。本実施例におけるユーザ機器は、データ最適化方法を用いてデータを送信することができる。
【０１５４】
ステップ２１２：ＭＭＥは、受信したデータを後続のコアネットワークノードに送信する。
【０１５５】
ステップ２１３：ＭＭＥは、引き続き後続のＲＲＣ接続プロセスを完成するか、それともＲＲＣ接続をリリースするかを判定する。
【０１５６】
ＭＭＥは、ユーザ機器のサブスクリプト情報、後続ノードにデータを送信してからの所定時間内に送信すべき下りデータがあるか否か、のいずれか１つに基づき、引き続き後続のＲＲＣ接続プロセスを完成するか、それともＲＲＣ接続をリリースするかを判定する。本例において、ＭＭＥはＲＲＣ接続をリリースするプロセスを実行する。
【０１５７】
ステップ２１４：ＭＭＥはｅＮＢにＵＥコンテキストリリースコマンドを送信する。
【０１５８】
ＭＭＥは、ｅＮＢとＭＭＥとの間の接続をリリースするために、ｅＮＢにＵＥコンテキストリリースコマンドを送信する。
【０１５９】
ステップ２１５：ｅＮＢがユーザ機器にＲＲＣ接続リリースメッセージを送信する。
【０１６０】
ｅＮＢは、ユーザ機器のＲＲＣ接続をリリースするために、ユーザ機器にＲＲＣ接続リリースメッセージを送信する。
【０１６１】
ステップ２１６：ｅＮＢがＭＭＥにＵＥコンテキストリリース完了メッセージを送信する。
【０１６２】
ｅＮＢは、ＭＭＥにＵＥコンテキストリリース完了メッセージを送信し、ＭＭＥに接続がすでにリリースされたことを通知する。
【０１６３】
実施例３
図１０に示すような、ユーザ機器がＲＲＣ接続確立完了メッセージと新しいＲＲＣメッセージの両方を用いてデータを送信し、アクセスネットワーク機器が初期ユーザ機器メッセージを用いてデータを送信し、データ送信完了後、ＲＲＣ接続をリリースするフローチャート図を参照して、詳しいプロセスは以下のようである。
【０１６４】
ステップ３０１：ユーザ機器がｅＮＢにランダムアクセスプリアンブルを送信する。
【０１６５】
ユーザ機器またはＭＴＣ機器に送信すべきデータがある場合、まず、Ｐｒｅａｍｂｌｅを選択し、そして、システムにより配置されたランダムアクセスリソース情報に基づき、ｅＮＢにプリアンブルシーケンスを送信する。
【０１６６】
ステップ３０２：ｅＮＢがユーザ機器にランダムアクセス応答メッセージ（Ｍｓｇ２）を送信する。
【０１６７】
ランダムアクセス応答メッセージには、ユーザ機器の送信したランダムアクセスプリアンブルに対応するプリアンブルアイデンティティ、上がり伝送タイミング調整、ＲＲＣ接続要求メッセージのための上がりリソース割り当て、一時的Ｃ−ＲＮＴＩなどが含まれていることが可能である。
【０１６８】
ステップ３０３：ユーザ機器がｅＮＢにＲＲＣ接続要求を送信する。
【０１６９】
ユーザ機器は、Ｍｓｇ２を受信した後、ランダムアクセス応答メッセージで割り当てられた上がりリソースによってＲＲＣ接続確立要求メッセージを送信する。
【０１７０】
ステップ３０４：ｅＮＢがユーザ機器にＲＲＣ接続確立メッセージを送信する。
【０１７１】
ｅＮＢは、ユーザ機器にＳＲＢ１を確立するためのＲＲＣ接続確立メッセージを送信し、また、ユーザ機器にＲＲＣ接続確立完了メッセージのための上がりリソースを割り当てる。
【０１７２】
ステップ３０５：ユーザ機器がｅＮＢにＲＲＣ接続確立メッセージを送信し、当該メッセージには、データ伝送制御情報がさらに含まれている。ユーザ機器は、ＲＲＣ接続確立メッセージで確立されたＳＲＢ１と割り当てられた上がりリソースにより、データ量及びデータパケットの数（本実施例において、ユーザ機器の伝送すべきデータパケットの数は１つで、当該データパケットの大きさは３４０バイトである。）に基づき、制御面シグナリングによるデータ伝送を利用すると決定し、また、ユーザ機器とｅＮＢとの事前約束により、ｅＮＢに送信するＲＲＣ接続確立完了メッセージにデータ伝送制御情報及びデータを含ませると決定する。
【０１７３】
本実施例において、データがＲＲＣ接続確立完了メッセージのＮＡＳ  ＰＤＵに乗せられており、データ伝送制御情報は、データインディケーション及びＢＳＲを含み、データインディケーションの送信方法は、ＲＲＣ接続確立完了メッセージに新しいＩＥを追加し、データインディケーションを新しいＩＥに追加するという方法である。ＢＳＲは、送信完了していないデータがあることをユーザ機器に示す。
【０１７４】
ステップ３０６：ｅＮＢは、データ伝送制御情報を受信してから、処理操作を行い、データ送信が完了したか否かを判定する。
【０１７５】
ｅＮＢは、データの受信が完了したか否かを判定し、データ伝送制御タイマー（例えば、Ｔｓｍａｌｌｄａｔａ）をＯＮにし、これからの送信すべきデータにリソースを割り当てる。
【０１７６】
本実施例において、ｅＮＢがＢＳＲにより判定をし、ｅＮＢの受信したＢＳＲが送信すべき後続のデータがあることを示す場合、ｅＮＢは受信したデータをバッファリングし、送信完了していないデータの受信を待ち続ける。
【０１７７】
ステップ３０７：ユーザ機器は、新しいＲＲＣシグナリングによって、送信が完了していないデータ、及びデータ伝送制御情報を送信する。
【０１７８】
本実施例において、データ伝送制御情報はＢＳＲであり、ＢＳＲはデータの送信が完了したことをユーザ機器に示す。新しいＲＲＣメッセージには、ＲＲＣ処理アイデンティティフィールド、ＮＡＳデータ専用情報フィールドが含まれており、もちろん、需要に応じて、データ伝送制御情報フィールド、非クリティカル拡張フィールドなどが含まれても良い。データ伝送制御情報フィールドには、データインディケーションフィールド、データ伝送完了インディケーションフィールド、データパケット制御情報フィールド、非クリティカル拡張フィールドなどが含まれることができる。本実施例において、送信が完了していないデータをＮＡＳデータ専用情報フィールドに入れる。
【０１７９】
ステップ３０８：ｅＮＢは、データ伝送制御情報を受信してから、処理操作をして、データ送信が完了したか否かを判定する。
【０１８０】
本実施例において、ｅＮＢはＢＳＲにより判定をし、ｅＮＢの受信したＢＳＲは送信すべき後続のデータがないと指示する。
【０１８１】
ステップ３０９：ｅＮＢが初期ユーザ機器メッセージを利用してＭＭＥにデータ、データインディケーション、及びデータ送信完了インディケーションを送信し、データ制御タイマーをＯＦＦにする。
【０１８２】
本実施例において、ｅＮＢはステップ３０８によって、ユーザ機器によるデータ送信完了と判定し、データ送信完了インディケーションを生成する。「１」である当該インディケーションはデータ送信完了をユーザ機器に示し、データを送信する初期ユーザ機器メッセージにデータインディケーションＩＥ及びデータ送信完了インディケーションＩＥを追加する。表１に示すとおりである。
【０１８３】
【表１】
2015530838.tif 000003
【０１８４】
本実施例において、データ送信完了インディケーションの値は「１」で、データ送信が完了したことを示し、データインディケーションの値は「１」で、送信すべきデータがあることを示す。
【０１８５】
ステップ３１０：ＭＭＥは、ユーザ機器が制御面によってデータを送信することができるか否かを判定する。
【０１８６】
本実施例において、サブスクリプト情報により、ユーザ機器がデータ最適化方法を用いてデータを送信することができると判定する。
【０１８７】
ステップ３１１：ＭＭＥが受信したデータを、後続のコアネットワークノードに送信する。
【０１８８】
ステップ３１２：ＭＭＥが、後続のＲＲＣ接続プロセスを引き続き完成するか、またはＲＲＣ接続をリリースするかを判定する。
【０１８９】
本実施例において、ＭＭＥが後続のコアネットワークノードにデータを送信してからの所定の期間内に、送信すべき下りデータがないため、ＲＲＣ接続をリリースするプロセスを実行すると決定する。
【０１９０】
ステップ３１３：ＭＭＥがｅＮＢにＵＥコンテキストリリースコマンドを送信する。
【０１９１】
ＭＭＥは、ｅＮＢに、ｅＮＢとＭＭＥとの間の接続をリリースするためのＵＥコンテキストリリースコマンドを送信する。
【０１９２】
ステップ３１４：ｅＮＢがユーザ機器にＲＲＣ接続リリースメッセージを送信する。
【０１９３】
ｅＮＢはユーザ機器に、ユーザ機器のＲＲＣ接続をリリースするためのＲＲＣ接続リリースメッセージを送信する。
【０１９４】
ステップ３１５：ｅＮＢがＭＭＥにＵＥコンテキストリリース完了メッセージを送信する。
【０１９５】
ｅＮＢはＭＭＥにＵＥコンテキストリリース完了メッセージを送信し、ＭＭＥに接続がすでにリリースされたことを通知する。
【０１９６】
実施例４
図１１に示すような、ユーザ機器がＲＲＣ接続確立完了メッセージと上がりリンク情報伝送メッセージの両方を用いてデータを送信し、アクセスネットワーク機器が上がりリンク非アクセス層伝送メッセージを用いてデータを送信し、データ送信完了後、後続の接続確立を引き続き完成するプロセスを示すフローチャート図を参照して、具体的なプロセスは以下の通りである。
【０１９７】
ステップ４０１：ユーザ機器がｅＮＢにランダムアクセスプリアンブルを送信する。
【０１９８】
ユーザ機器またはＭＴＣ機器に送信すべきデータがある場合に、まず、Ｐｒｅａｍｂｌｅを選択し、そして、システムにより配置されたランダムアクセスリソース情報に基づき、ｅＮＢにプリアンブルシーケンスを送信する。
【０１９９】
ステップ４０２：ｅＮＢがユーザ機器にランダムアクセス応答メッセージ（Ｍｓｇ２）を送信する。
【０２００】
ランダムアクセス応答メッセージには、ユーザ機器の送信したランダムアクセスプリアンブルに対応するプリアンブルアイデンティティ、上がり伝送タイミング調整、ＲＲＣ接続要求メッセージのための上がりリソース割り当て、一時的Ｃ−ＲＮＴＩなどが含まれていることが可能である。
【０２０１】
ステップ４０３、ユーザ機器がｅＮＢにＲＲＣ接続要求を送信する。
ユーザ機器は、Ｍｓｇ２を受信した後、ランダムアクセス応答メッセージで割り当てられた上がりリソースによってＲＲＣ接続確立要求メッセージを送信する。
【０２０２】
ステップ４０４：ｅＮＢがユーザ機器にＲＲＣ接続確立メッセージを送信する。
【０２０３】
ｅＮＢは、ユーザ機器にＳＲＢ１を確立するためのＲＲＣ接続確立メッセージを送信し、また、ユーザ機器にＲＲＣ接続確立完了メッセージのための上がりリソースを割り当てる。
【０２０４】
ステップ４０５：ユーザ機器がｅＮＢに、データ伝送制御情報及びデータが含まれているＲＲＣ接続確立メッセージを送信する。
【０２０５】
本実施例において、ＲＲＣ接続確立メッセージで確立されたＳＲＢ１と割り当てられた上がりリソースによると、ユーザ機器の伝送すべきデータパケットの数は５つで、当該データ量の大きさは７００バイトであり、ユーザ機器は、データ量及びデータパケットの数に基づき、制御面シグナリングによってデータを伝送すると決定し、また、ユーザ機器とｅＮＢとの事前約束により、ｅＮＢに送信するＲＲＣ接続確立完了メッセージにデータ伝送制御情報及びデータを含ませると決定する。本実施例において、データがＲＲＣ接続確立完了メッセージのＮＡＳ  ＰＤＵに乗せられており、データ伝送制御情報はデータインディケーション及びデータ送信完了インディケーションを含み、データインディケーションの送信方法は新しいＭＡＣ  ＣＥによってデータインディケーションを乗せるという方法で、データ送信完了インディケーションの送信方法は新しいＭＡＣ  ＣＥによってデータ送信完了インディケーションを乗せるという方法である。
【０２０６】
データ送信完了インディケーションＭＡＣ  ＣＥに対応するＬＣＩＤ（Ｌｏｇｉｃａｌ  Ｃｈａｎｎｅｌ  Ｉｄｅｎｔｉｔｙ、ロジックチャネルアイデンティティ）を定義する方法は、表２に示すような上がりリンク共有チャネルＬＣＩＤテーブルのとおりである。
【０２０７】
【表２】
2015530838.tif 000004
【０２０８】
即ち、予約番号から、データ送信完了インディケーションを定義するための番号（01100）と、データインディケーションを定義するための番号（01011）との２つの番号が取り出される。受信側は、当該ＬＣＩＤを読み取ると、対応するＭＡＣ  ＰＤＵにデータ送信完了インディケーションとデータインディケーションＭＡＣ  ＣＥがあることが分かることになり、そして、当該ＭＡＣ  ＣＥにおけるデータ送信完了インディケーション及びデータインディケーションを読み取ることができる。
【０２０９】
本実施例において、データインディケーションの値を「１」にして、送信すべきデータがあることを示し、データ送信完了インディケーションの値を「０」にして、データの送信が完了していないことを示す。
【０２１０】
ステップ４０６：ｅＮＢが、データ伝送制御情報を受信してから、処理操作を行い、データ送信が完了したか否かを判定する。
ｅＮＢはデータの受信が完了したか否かを判定し、データ伝送制御タイマー（例えばＴｓｍａｌｌｄａｔａ）をＯＮにし、これから送信すべきデータにリソースを割り当てる。
【０２１１】
本実施例において、ｅＮＢはデータ送信完了インディケーションによりデータ送信が完了したか否かを判定し、この時受信したインディケーションの値が「０」で、データの受信が完了していないことを表し、ｅＮＢは受信したデータをバッファリングするとともに、送信完了していないデータの受信を待ち続ける。
【０２１２】
ステップ４０７：ユーザ機器が、上がりリンク情報伝送メッセージによって送信完了していないデータ及びデータ伝送制御情報を送信し続ける。
【０２１３】
本実施例において、データ伝送制御情報は、ステップ４０５の方法、即ち新しいＭＡＣ  ＣＥによってデータ送信完了インディケーションを乗せ、表２の対応関係に従い、予約番号からデータ送信完了インディケーションを定義するための１つの番号（01100）を取り出す。受信側は、当該ＬＣＩＤを読み取ると、対応するＭＡＣ  ＰＤＵにデータ送信完了インディケーションＭＡＣ  ＣＥがあることが分かることになり、そして、当該ＭＡＣ  ＣＥにおけるデータ送信完了インディケーションを読み取ることができる。本実施例において、データ送信完了インディケーションの値を「１」にして、データの送信が完了したことを示す。
【０２１４】
ステップ４０８：ｅＮＢがデータ伝送制御情報を受信してから、処理操作を行い、データの送信が完了したか否かを判定する。
【０２１５】
本実施例において、データ送信完了インディケーションに基づき、データの送信が完了したか否かを判定し、ステップ４０７において、受信したデータ送信完了インディケーションの値は「１」で、ユーザ機器のデータ送信が完了したことを表し、ｅＮＢはデータの受信を完了する。
【０２１６】
ステップ４０９：ｅＮＢが、上がりリンク非アクセス層伝送メッセージによって、ＭＭＥにデータ、データインディケーション、及びデータ送信完了インディケーションを送信し、データ制御タイマーをＯＦＦにする。
【０２１７】
本実施例において、データを送信する上がりリンク非アクセス層伝送メッセージにデータインディケーションＩＥ及びデータ送信完了インディケーションＩＥを追加し、表３に示すとおりである。
【０２１８】
【表３】
2015530838.tif 000005
【０２１９】
本実施例において、データ送信完了インディケーションの値は「１」で、データ送信が完了したことを示し、データインディケーションの値は「１」で、送信すべきデータがあることを示す。
【０２２０】
ステップ４１０：ＭＭＥが、ユーザ機器が制御面を用いてデータを送信することができるか否かを判定する。
【０２２１】
本実施例において、サブスクリプト情報により、ユーザ機器がデータ最適化方法を使用してデータを送信することができると判定する。
【０２２２】
ステップ４１１：ＭＭＥが受信したデータを後続のコアネットワークノードに送信する。
【０２２３】
ステップ４１２：ＭＭＥは、引き続き後続のＲＲＣ接続プロセスを完成するか、またはＲＲＣ接続をリリースするかを判定する。
【０２２４】
本実施例において、ＭＭＥは、後続のコアネットワークノードにデータを送信し、所定の時間を経て、送信すべき下りデータがある場合、後続のＲＲＣ接続プロセスを実行すると決定する。
【０２２５】
ステップ４１３：ＭＭＥがｅＮＢに初期コンテキスト確立要求メッセージを送信する。
【０２２６】
ＭＭＥはｅＮＢに対して、アクセス層セキュリティコンテキスト情報、切り替え制限情報、ＱoＳ情報、サービスゲートウェイの、ユーザ面のためのトンネル端末アイデンティティ及びアドレス情報などを含むユーザ機器に対応する接続情報を通知する。
【０２２７】
ステップ４１４：ｅＮＢがユーザ機器にセキュリティモードコマンドメッセージを送信する。
【０２２８】
ｅＮＢはユーザ機器またはＭＴＣに、ユーザ機器のセキュリティ性をアクティブ化するためのセキュリティモードコマンドを送信する。
【０２２９】
ステップ４１５：ユーザ機器がｅＮＢにセキュリティモード完成メッセージを送信する。
【０２３０】
ユーザ機器は、ｅＮＢにセキュリティモード完成メッセージを送信し、セキュリティ性がアクティブ化されたことをｅＮＢに通知する。
【０２３１】
ステップ４１６：ｅＮＢがユーザ機器にＲＲＣ接続再配置メッセージを送信する。
【０２３２】
ｅＮＢは、ユーザ機器に、データ無線ベアラ及びＳＲＢ２を確立するためのＲＲＣ接続再配置メッセージを送信する。
【０２３３】
なお、ステップ４１６はステップ４１５の前に行われても良い。
【０２３４】
ステップ４１７：ユーザ機器がｅＮＢにＲＲＣ接続再配置完了メッセージを送信する。
【０２３５】
ユーザ機器は、ｅＮＢにＲＲＣ接続再配置完了メッセージを送信し、データ無線ベアラ及びＳＲＢ２の配置が完了したことをｅＮＢに通知する。
【０２３６】
ステップ４１８：ｅＮＢがＭＭＥに初期コンテキスト確立応答メッセージを送信する。
【０２３７】
ｅＮＢは、ＭＭＥに、ｅＮＢのトンネル端末アイデンティティとｅＮＢの、Ｓ１インターフェースユーザ面下りサービスのためのアドレス情報が含まれている初期コンテキスト確立応答メッセージを送信する。
【０２３８】
実施例５
図１２に示すような、ユーザ機器が新しいＲＲＣメッセージのみを用いてデータを送信し、アクセスネットワーク機器が新しいＳ１メッセージを用いてデータを送信し、データ送信完了後、後続の接続確立を引き続き完成するプロセスを示すフローチャート図を参照して、具体的なプロセスは以下のとおりである。
【０２３９】
ステップ５０１：ユーザ機器がｅＮＢにランダムアクセスプリアンブルを送信する。
【０２４０】
ユーザ機器またはＭＴＣ機器に送信すべきデータがある場合、まず、Ｐｒｅａｍｂｌｅを選択し、そして、システムにより配置されたランダムアクセスリソース情報に基づき、ｅＮＢにプリアンブルシーケンスを送信する。
【０２４１】
ステップ５０２：ｅＮＢがユーザ機器にランダムアクセス応答メッセージ（Ｍｓｇ２）を送信する。
【０２４２】
ランダムアクセス応答メッセージには、ユーザ機器の送信したランダムアクセスプリアンブルに対応するプリアンブルアイデンティティ、上がり伝送タイミング調整、ＲＲＣ接続要求メッセージのための上がりリソース割り当て、一時的Ｃ−ＲＮＴＩなどが含まれていることが可能である。
【０２４３】
ステップ５０３：ユーザ機器がｅＮＢにＲＲＣ接続要求を送信する。
【０２４４】
ユーザ機器は、Ｍｓｇ２を受信した後、ランダムアクセス応答メッセージで割り当てられた上がりリソースによって、ＲＲＣ接続確立要求メッセージを送信する。
【０２４５】
ステップ５０４：ｅＮＢがユーザ機器にＲＲＣ接続確立メッセージを送信する。
【０２４６】
ｅＮＢは、ユーザ機器にＳＲＢ１を確立するためのＲＲＣ接続確立メッセージを送信し、また、ユーザ機器にＲＲＣ接続確立完了メッセージのための上がりリソースを割り当てる。
【０２４７】
ステップ５０５：ユーザ機器がｅＮＢにＲＲＣ接続確立メッセージを送信し、当該メッセージには、データ伝送制御情報のみが含まれている。
【０２４８】
本実施例において、ＲＲＣ接続確立メッセージで確立されたＳＲＢ１と割り当てられた上がりリソースによると、ユーザ機器の伝送すべきデータパケットの数は１つで、当該データ量の大きさは４００バイトであり、ユーザ機器は、データ量及びデータパケットの数に基づき、制御面シグナリングによってデータを伝送すると決定し、また、ユーザ機器とｅＮＢとの事前約束により、ｅＮＢに送信するＲＲＣ接続確立完了メッセージにデータ伝送制御情報のみを含ませると決定する。本実施例において、データがＲＲＣ接続確立完了メッセージのＮＡＳ  ＰＤＵに乗せられており、データ伝送制御情報はデータインディケーション及びＢＳＲを含み、データインディケーションの送信方法はＭＡＣサブヘッダーにおける予約ビットによってデータインディケーションを乗せるという方法である。図１９はＭＡＣサブヘッダーにおける第１バイトのビット割当状況を示す図であり、図１９において、「Ｒ」はＭＡＣサブヘッダーにおける予約ビットを表し、その中の１つの予約ビットを「１」にして、データインディケーションを表す。受信側は、当該ビットを読み取ると、対応するＭＡＣ  ＰＤＵにデータインディケーションがあることを知ることになり、そして、当該データインディケーションを読み取ることができる。本実施例において、データインディケーションの値を「１」にして、送信すべきデータがあることを示し、ＢＳＲは送信完了していないデータがあることをユーザ機器に示す。
【０２４９】
ステップ５０６：ｅＮＢは、データ伝送制御情報を受信してから、処理操作を行い、データ送信が完了したか否かを判定する。
【０２５０】
ｅＮＢはデータの受信が完了したか否かを判定し、データ伝送制御タイマー（例えばＴｓｍａｌｌｄａｔａ）をＯＮにし、これから送信すべきデータにリソースを割り当てる。
【０２５１】
本実施例において、ｅＮＢはＢＳＲにより判定し、ｅＮＢの受信したＢＳＲは後続の送信すべきデータがあることを示す。
【０２５２】
ステップ５０７：ユーザ機器が新しいＲＲＣメッセージによって送信完了していないデータ及びデータ伝送制御情報を送信し続ける。
【０２５３】
本実施例において、データ伝送制御情報はＢＳＲであり、ＢＳＲはデータの送信が完了したことをユーザ機器に示す。新しいＲＲＣメッセージには、ＲＲＣ処理アイデンティティフィールド、ＮＡＳデータ専用情報フィールドが含まれており、データ伝送制御情報フィールド、非クリティカル拡張フィールドなどが含まれても良い。そのうち、データ伝送制御情報フィールドには、データインディケーションフィールド、データ伝送完了インディケーションフィールド、データパケット制御情報フィールド、非クリティカル拡張フィールドなどが含まれることができる。本実施例において、送信が完了していないデータをＮＡＳデータ専用情報フィールドに入れる。
【０２５４】
ステップ５０８：ｅＮＢがデータ伝送制御情報を受信してから、処理操作をして、データ送信が完了したか否かを判定する。
【０２５５】
本実施例において、ｅＮＢはＢＳＲにより判定し、ｅＮＢの受信したＢＳＲは送信すべき後続のデータがないことを示す。
【０２５６】
ステップ５０９：ｅＮＢが新しいＳ１メッセージによって、ＭＭＥにデータ、データインディケーション、及びデータ送信完了インディケーションを送信し、データ制御タイマーをＯＦＦにする。
【０２５７】
本実施例において、ｅＮＢはステップ５０８により、ユーザ機器によるデータ送信完了と判定し、データ送信完了インディケーションを生成する。「１」である当該インディケーションはデータ送信完了をユーザ機器に示し、データを送信する新しいＳ１メッセージは表４に示すとおりである。
【０２５８】
【表４】
2015530838.tif 000006
【０２５９】
本実施例において、データ送信完了インディケーションの値は「１」で、データ送信が完了したことを示し、データインディケーションの値は「１」で、送信すべきデータがあることを示し、ＮＡＳ  ＰＤＵはデータの送信に用いられる。
【０２６０】
ステップ５１０：ＭＭＥが、ユーザ機器が制御面によってデータを送信することができるか否かを判定する。
【０２６１】
本実施例において、サブスクリプト情報により、ユーザ機器がデータ最適化方法を用いてデータを送信することができると判定する。
【０２６２】
ステップ５１１：ＭＭＥが受信したデータを、後続のコアネットワークノードに送信する。
【０２６３】
ステップ５１２：ＭＭＥは、後続のＲＲＣ接続プロセスを引き続き完成するか、またはＲＲＣ接続をリリースするかを判定する。
【０２６４】
本実施例において、ＭＭＥが後続のコアネットワークノードにデータを送信してからの所定の期間内に、送信すべき下りデータがあるため、後続のＲＲＣ接続を完成するプロセスを実行すると決定する。
【０２６５】
ステップ５１３：ＭＭＥがｅＮＢに初期コンテキスト確立要求メッセージを送信する。
【０２６６】
ＭＭＥはｅＮＢに対して、アクセス層セキュリティコンテキスト情報、切り替え制限情報、ＱoＳ情報、サービスゲートウェイの、ユーザ面のためのトンネル端末アイデンティティ及びアドレス情報などを含むユーザ機器に対応する接続情報を通知する。
【０２６７】
ステップ５１４：ｅＮＢがユーザ機器にセキュリティモードコマンドメッセージを送信する。
【０２６８】
ｅＮＢはユーザ機器またはＭＴＣに、ユーザ機器のセキュリティ性をアクティブ化するためのセキュリティモードコマンドを送信する。
【０２６９】
ステップ５１５：ユーザ機器がｅＮＢにセキュリティモード完成メッセージを送信する。
【０２７０】
ユーザ機器は、ｅＮＢにセキュリティモード完成メッセージを送信し、セキュリティ性がアクティブ化されたことをｅＮＢに通知する。
【０２７１】
ステップ５１６：ｅＮＢがユーザ機器にＲＲＣ接続再配置メッセージを送信する。
【０２７２】
ｅＮＢは、ユーザ機器に、データ無線ベアラ及びＳＲＢ２を確立するためのＲＲＣ接続再配置メッセージを送信する。
【０２７３】
なお、ステップ５１６はステップ５１５の前に行われても良い。
【０２７４】
ステップ５１７：ユーザ機器がｅＮＢにＲＲＣ接続再配置完了メッセージを送信する。
【０２７５】
ユーザ機器は、ｅＮＢにＲＲＣ接続再配置完了メッセージを送信し、データ無線ベアラ及びＳＲＢ２の配置が完了したことをｅＮＢに通知する。
【０２７６】
ステップ５１８：ｅＮＢがＭＭＥに初期コンテキスト確立応答メッセージを送信する。
【０２７７】
ｅＮＢは、ＭＭＥに、ｅＮＢのトンネル端末アイデンティティとｅＮＢの、Ｓ１インターフェースユーザ面下りサービスのためのアドレス情報が含まれている初期コンテキスト確立応答メッセージを送信する。
【０２７８】
実施例６
図１３に示すような、ユーザ機器が上がりリンク情報伝送メッセージのみを用いてデータを送信し、アクセスネットワーク機器が新しいＳ１メッセージを用いてデータを送信し、データ送信完了後、ＲＲＣ接続をリリースするフローチャート図を参照して、詳しいプロセスは以下のとおりである。
【０２７９】
ステップ６０１：ユーザ機器がｅＮＢにランダムアクセスプリアンブルを送信する。
【０２８０】
ユーザ機器またはＭＴＣ機器に送信すべきデータがある場合、まず、Ｐｒｅａｍｂｌｅを選択し、そして、システムにより配置されたランダムアクセスリソース情報により、ｅＮＢにプリアンブルシーケンスを送信する。
【０２８１】
ステップ６０２：ｅＮＢがユーザ機器にランダムアクセス応答メッセージ（Ｍｓｇ２）を送信する。
【０２８２】
ランダムアクセス応答メッセージには、ユーザ機器の送信したランダムアクセスプリアンブルに対応するプリアンブルアイデンティティ、上がり伝送タイミング調整、ＲＲＣ接続要求メッセージのための上がりリソース割り当て、一時的Ｃ−ＲＮＴＩなどが含まれていることが可能である。
【０２８３】
ステップ６０３：ユーザ機器がｅＮＢにＲＲＣ接続要求を送信する。
【０２８４】
ユーザ機器は、Ｍｓｇ２を受信した後、ランダムアクセス応答メッセージで割り当てられた上がりリソースによって、ＲＲＣ接続確立要求メッセージを送信する。
【０２８５】
ステップ６０４：ｅＮＢがユーザ機器にＲＲＣ接続確立メッセージを送信する。
【０２８６】
ｅＮＢは、ユーザ機器にＳＲＢ１を確立するためのＲＲＣ接続確立メッセージを送信し、また、ユーザ機器にＲＲＣ接続確立完了メッセージのための上がりリソースを割り当てる。
【０２８７】
ステップ６０５：ユーザ機器がｅＮＢにＲＲＣ接続確立メッセージを送信し、当該メッセージには、データ伝送制御情報のみが含まれている。
【０２８８】
本実施例において、ＲＲＣ接続確立メッセージで確立されたＳＲＢ１と割り当てられた上がりリソースによると、ユーザ機器の伝送すべきデータパケットの数は３つで、当該データパケットの大きさは５００バイトであり、ユーザ機器は、データ量及びデータパケットの数に基づき、制御面シグナリングによってデータを伝送すると決定し、また、ユーザ機器とｅＮＢとの事前約束により、ｅＮＢに送信するＲＲＣ接続確立完了メッセージにデータ伝送制御情報を含ませると決定する。
【０２８９】
本実施例において、データがＲＲＣ接続確立完了メッセージのＮＡＳ  ＰＤＵに乗せられており、データ伝送制御情報はデータインディケーション及びデータ送信完了インディケーションを含み、本実施例において、データインディケーションの送信方法はＲＲＣ接続確立完了メッセージに新しいＩＥを追加し、データインディケーションを新しいＩＥに入れるという方法であり、本実施例において、データ送信完了インディケーションの送信方法は、新しいＭＡＣ  ＣＥによってデータ送信完了インディケーションを乗せるという方法である。
【０２９０】
データ送信完了インディケーションが乗せられるＭＡＣ  ＣＥに対応するＬＣＩＤを定義する方法は、表５に示すような上がりリンク共有チャネルＬＣＩＤテーブルのとおりである。
【０２９１】
【表５】
2015530838.tif 000007
【０２９２】
即ち、予約番号から、データ送信完了インディケーションを定義するための番号（01011）が取り出される。受信側は、当該ＬＣＩＤを読み取ると、対応するＭＡＣ  ＰＤＵにデータ送信完了インディケーションＭＡＣ  ＣＥがあることが分かることになり、そして、当該ＭＡＣ  ＣＥにおけるデータ送信完了インディケーションを読み取ることができる。本実施例において、データインディケーションの値を「１」にして、送信すべきデータがあることを示し、データ送信完了インディケーションの値を「０」にして、データの送信が完了していないことを示す。
【０２９３】
ステップ６０６：ｅＮＢが、データ伝送制御情報を受信してから、処理操作を行い、データ送信が完了したか否かを判定する。
ｅＮＢはデータの受信が完了したか否かを判定し、データ伝送制御タイマー（例えばＴｓｍａｌｌｄａｔａ）をＯＮにし、これから送信すべきデータにリソースを割り当てる。
【０２９４】
本実施例において、ｅＮＢはデータ送信完了インディケーションにより判定し、ｅＮＢの受信したデータ送信完了インディケーションの値は「０」で、送信すべき後続のデータがあることを表し、この時、ｅＮＢは受信したデータをバッファリングするとともに、送信完了していないデータの受信を待ち続ける。
【０２９５】
ステップ６０７：ユーザ機器が上がりリンク情報伝送メッセージによってデータ及びデータ伝送制御情報を送信する。
【０２９６】
本実施例において、データ伝送制御情報はデータ送信完了インディケーションで、使用ルールはステップ６０５と同じであり、本ステップにおいて、データ送信完了インディケーションの値は「１」で、データの送信が完了したことを示す。
【０２９７】
ステップ６０８：ｅＮＢが、データ伝送制御情報を受信してから、処理操作を行い、データの送信が完了したか否かを判定する。
【０２９８】
本実施例において、ｅＮＢはデータ送信完了インディケーションにより判定し、ｅＮＢの受信したデータ送信完了インディケーションの値は「１」で、送信すべき後続のデータがないことを示す。
【０２９９】
ステップ６０９：ｅＮＢが新しいＳ１メッセージによって、ＭＭＥにデータ、データインディケーション、及びデータ送信完了インディケーションを送信し、データ制御タイマーをＯＦＦにする。
【０３００】
本実施例において、データを送信する新しいＳ１メッセージは、表６に示すとおりである。
【０３０１】
【表６】
2015530838.tif 000008
【０３０２】
本実施例において、データ送信完了インディケーションの値は「１」で、データ送信が完了したことを示し、データインディケーションの値は「１」で、送信すべきデータがあることを示す。
【０３０３】
ステップ６１０：ＭＭＥが、ユーザ機器が制御面によってデータを送信することができるか否かを判定する。
【０３０４】
本実施例において、サブスクリプト情報により、ユーザ機器がデータ最適化方法を用いてデータを送信することができると判定する。
【０３０５】
ステップ６１１：ＭＭＥが受信したデータを、後続のコアネットワークノードに送信する。
【０３０６】
ステップ６１２：ＭＭＥが、後続のＲＲＣ接続プロセスを引き続き完成するか、またはＲＲＣ接続をリリースするかを判定する。
【０３０７】
本実施例において、ＭＭＥが後続のコアネットワークノードにデータを送信してからの所定の期間内に、送信すべき下りデータがないため、ＲＲＣ接続をリリースするプロセスを実行すると決定する。
【０３０８】
ステップ６１３：ＭＭＥがｅＮＢにＵＥコンテキストリリースコマンドを送信する。
【０３０９】
ＭＭＥはｅＮＢに、ｅＮＢとＭＭＥとの間の接続をリリースするためのＵＥコンテキストリリースコマンドを送信する。
【０３１０】
ステップ６１４：ｅＮＢがユーザ機器にＲＲＣ接続リリースメッセージを送信する。
【０３１１】
ｅＮＢは、ユーザ機器に、ユーザ機器のＲＲＣ接続をリリースするためのＲＲＣ接続リリースメッセージを送信する。
【０３１２】
ステップ６１５：ｅＮＢがＭＭＥにＵＥコンテキストリリース完了メッセージを送信する。
【０３１３】
ｅＮＢは、ＭＭＥにＵＥコンテキストリリース完了メッセージを送信し、ＭＭＥに接続がリリースされたことを通知する。
【０３１４】
実施例７
図１４に示すような、ユーザ機器が新しいＲＲＣメッセージのみを用いてデータを送信し、アクセスネットワーク機器が初期ユーザ機器メッセージを用いてデータを送信し、データ送信完了後、後続の接続確立を引き続き完成するプロセスを示すフローチャート図を参照して、詳しいプロセスは以下のとおりである。
【０３１５】
ステップ７０１：ユーザ機器がｅＮＢにランダムアクセスプリアンブルを送信する。
【０３１６】
ユーザ機器またはＭＴＣ機器に送信すべきデータがある場合、まず、Ｐｒｅａｍｂｌｅを選択し、そして、システムにより配置されたランダムアクセスリソース情報により、ｅＮＢにプリアンブルシーケンスを送信する。
【０３１７】
ステップ７０２：ｅＮＢがユーザ機器にランダムアクセス応答メッセージ（Ｍｓｇ２）を送信する。
【０３１８】
ランダムアクセス応答メッセージには、ユーザ機器の送信したランダムアクセスプリアンブルに対応するプリアンブルアイデンティティ、上がり伝送タイミング調整、ＲＲＣ接続要求メッセージのための上がりリソース割り当て、一時的Ｃ−ＲＮＴＩなどが含まれていることが可能である。
【０３１９】
ステップ７０３：ユーザ機器がｅＮＢにＲＲＣ接続要求を送信する。
【０３２０】
ユーザ機器は、Ｍｓｇ２を受信した後、ランダムアクセス応答メッセージで割り当てられた上がりリソースによって、ＲＲＣ接続確立要求メッセージを送信する。
【０３２１】
ステップ７０４：ｅＮＢがユーザ機器にＲＲＣ接続確立メッセージを送信する。
【０３２２】
ｅＮＢは、ユーザ機器に、ＳＲＢ１を確立するためのＲＲＣ接続確立メッセージを送信し、また、ユーザ機器にＲＲＣ接続確立完了メッセージのための上がりリソースを割り当てる。
【０３２３】
ステップ７０５：ユーザ機器がｅＮＢにＲＲＣ接続確立メッセージを送信し、当該メッセージには、データ伝送制御情報のみが含まれている。
【０３２４】
本実施例において、ＲＲＣ接続確立メッセージで確立されたＳＲＢ１と割り当てられた上がりリソースによると、ユーザ機器の伝送すべきデータパケットの数は１０個であり、ユーザ機器は、データパケットの数に基づき、制御面シグナリングによってデータを伝送すると決定し、また、ユーザ機器とｅＮＢとの事前約束により、ｅＮＢに送信するＲＲＣ接続確立完了メッセージにデータ伝送制御情報のみを含ませると決定する。
【０３２５】
本実施例において、データがＲＲＣ接続確立完了メッセージのＮＡＳ  ＰＤＵに乗せられており、データ伝送制御情報はデータインディケーション及びデータパケット制御情報を含み、データインディケーションの送信方法はＲＲＣ接続確立完了メッセージに新しいＩＥを追加し、データインディケーションを新しいＩＥに入れるという方法であり、本ステップにおいて、データインディケーションの値を「１」にして、送信すべきデータがあることを示し、データパケット制御情報の値を「０」以外にして、データの送信が完了していないことを示す。
【０３２６】
ステップ７０６：ｅＮＢはデータ伝送制御情報を受信してから、処理操作を行い、データ送信が完了したか否かを判定する。
【０３２７】
ｅＮＢはデータの受信が完了したか否かを判定し、データ伝送制御タイマー（例えばＴｓｍａｌｌｄａｔａ）をＯＮにし、これから送信すべきデータにリソースを割り当てる。
【０３２８】
本実施例において、ｅＮＢはデータパケット制御情報に基づき、完了したか否かを判定し、この時受信したインディケーションの値は「０」ではなく、データの受信が完了していないことを示し、ｅＮＢは送信完了していないデータの受信を待ち続ける。
【０３２９】
ステップ７０７：ユーザ機器が新しいＲＲＣメッセージによって、送信が完了していないデータ、及びデータ伝送制御情報を引き続き送信する。
【０３３０】
本実施例において、データ伝送制御情報はデータパケット制御情報であり、本ステップにおいて、データパケット制御情報の値は「０」で、データの送信が完了したことを示す。新しいＲＲＣメッセージには、ＲＲＣ処理アイデンティティフィールド、ＮＡＳデータ専用情報フィールドが含まれており、データ伝送制御情報フィールド、非クリティカル拡張フィールド等が含まれても良い。データ伝送制御情報フィールドには、データインディケーションフィールド、データ伝送完了インディケーションフィールド、データパケット制御情報フィールド、非クリティカル拡張フィールドなどが含まれることが可能である。本実施例において、送信が完了していないデータをＮＡＳデータ専用情報フィールドに入れ、データパケット制御情報をデータパケット制御情報フィールドに入れる。
【０３３１】
ステップ７０８：ｅＮＢはデータ伝送制御情報を受信してから、処理操作をして、データ送信が完了したか否かを判定する。
【０３３２】
本実施例において、データパケット制御情報によりデータの送信が完了したか否かを判定し、ステップ７０７で受信したデータパケット制御情報の値は「０」で、ユーザ機器によるデータの送信が完了したことを示し、ｅＮＢはデータの受信を完成する。
【０３３３】
ステップ７０９：ｅＮＢが初期ユーザ機器メッセージを利用してＭＭＥにデータ、データインディケーション、及びデータ送信完了インディケーションを送信し、データ制御タイマーをＯＦＦにする。
【０３３４】
本実施例において、ｅＮＢはステップ７０８によって、ユーザ機器によるデータ送信完了と判定し、データ送信完了インディケーションを生成する。「１」である当該インディケーションはデータ送信完了をユーザ機器に示し、データを送信する初期ユーザ機器メッセージにデータインディケーションＩＥ及びデータ送信完了インディケーションＩＥを追加する。表７に示すとおりである。
【０３３５】
【表７】
2015530838.tif 000009
【０３３６】
本実施例において、データ送信完了インディケーションの値は「１」で、データ送信が完了したことを示し、データインディケーションの値は「１」で、送信すべきデータがあることを示す。
【０３３７】
ステップ７１０：ＭＭＥは、ユーザ機器が制御面によってデータを送信することができるか否かを判定する。
【０３３８】
本実施例において、サブスクリプト情報により、ユーザ機器がデータ最適化方法を用いてデータを送信することができると判定する。
【０３３９】
ステップ７１１：ＭＭＥが受信したデータを、後続のコアネットワークノードに送信する。
【０３４０】
ステップ７１２：ＭＭＥが、後続のＲＲＣ接続プロセスを引き続き完成するか、それともＲＲＣ接続をリリースするかを判定する。
【０３４１】
本実施例において、ＭＭＥが後続のコアネットワークノードにデータを送信してからの所定の期間内に、送信すべき下りデータがあるため、後続のＲＲＣ接続を完成するプロセスを実行すると決定する。
【０３４２】
ステップ７１３：ＭＭＥがｅＮＢに初期コンテキスト確立要求メッセージを送信する。
【０３４３】
ＭＭＥはｅＮＢに対して、アクセス層セキュリティコンテキスト情報、切り替え制限情報、ＱoＳ情報、サービスゲートウェイの、ユーザ面のためのトンネル端末アイデンティティ及びアドレス情報などを含むユーザ機器に対応する接続情報を通知する。
【０３４４】
ステップ７１４：ｅＮＢがユーザ機器にセキュリティモードコマンドメッセージを送信する。
【０３４５】
ｅＮＢはユーザ機器またはＭＴＣ機器に、ユーザ機器のセキュリティ性をアクティブ化するためのセキュリティモードコマンドを送信する。
【０３４６】
ステップ７１５：ユーザ機器がｅＮＢにセキュリティモード完成メッセージを送信する。
【０３４７】
ユーザ機器は、ｅＮＢにセキュリティモード完成メッセージを送信し、セキュリティ性がアクティブ化されたことをｅＮＢに通知する。
【０３４８】
ステップ７１６：ｅＮＢがユーザ機器にＲＲＣ接続再配置メッセージを送信する。
【０３４９】
ｅＮＢは、ユーザ機器に、データ無線ベアラ及びＳＲＢ２を確立するためのＲＲＣ接続再配置メッセージを送信する。
【０３５０】
なお、ステップ７１６はステップ７１５の前に行われても良い。
【０３５１】
ステップ７１７：ユーザ機器がｅＮＢにＲＲＣ接続再配置完了メッセージを送信する。
【０３５２】
ユーザ機器は、ｅＮＢにＲＲＣ接続再配置完了メッセージを送信し、データ無線ベアラ及びＳＲＢ２の配置が完了したことをｅＮＢに通知する。
【０３５３】
ステップ７１８：ｅＮＢがＭＭＥに初期コンテキスト確立応答メッセージを送信する。
【０３５４】
ｅＮＢは、ＭＭＥに、ｅＮＢのトンネル端末アイデンティティとｅＮＢの、Ｓ１インターフェースユーザ面下りサービスのためのアドレス情報が含まれている初期コンテキスト確立応答メッセージを送信する。
【０３５５】
実施例８
図１５に示すような、ユーザ機器がＲＲＣ接続確立完了メッセージのみを用いてデータを送信し、ｅＮＢにおけるデータ制御タイマーが時間切れになったため、ｅＮＢがＲＲＣ接続リリースを開始するプロセスを示すフローチャート図を参照して、詳しいプロセスは以下のとおりである。
【０３５６】
ステップ８０１：ユーザ機器がｅＮＢにランダムアクセスプリアンブルを送信する。
【０３５７】
ユーザ機器またはＭＴＣ機器に送信すべきデータがある場合、まず、Ｐｒｅａｍｂｌｅを選択し、そして、システムにより配置されたランダムアクセスリソース情報により、ｅＮＢにプリアンブルシーケンスを送信する。
【０３５８】
ステップ８０２：ｅＮＢがユーザ機器にランダムアクセス応答メッセージ（Ｍｓｇ２）を送信する。
【０３５９】
ランダムアクセス応答メッセージには、ユーザ機器の送信したランダムアクセスプリアンブルに対応するプリアンブルアイデンティティ、上がり伝送タイミング調整、ＲＲＣ接続要求メッセージのための上がりリソース割り当て、一時的Ｃ−ＲＮＴＩなどが含まれていることが可能である。
【０３６０】
ステップ８０３：ユーザ機器がｅＮＢにＲＲＣ接続要求を送信する。
【０３６１】
ユーザ機器は、Ｍｓｇ２を受信した後、ランダムアクセス応答メッセージで割り当てられた上がりリソースによって、ＲＲＣ接続確立要求メッセージを送信する。
【０３６２】
ステップ８０４：ｅＮＢがユーザ機器にＲＲＣ接続確立メッセージを送信する。
【０３６３】
ｅＮＢは、ユーザ機器にＳＲＢ１を確立するためのＲＲＣ接続確立メッセージを送信し、また、ユーザ機器にＲＲＣ接続確立完了メッセージのための上がりリソースを割り当てる。
【０３６４】
ステップ８０５：ユーザ機器がｅＮＢにＲＲＣ接続確立メッセージを送信し、当該メッセージには、データ伝送制御情報及びデータが含まれている。本実施例において、ＲＲＣ接続確立メッセージで確立されたＳＲＢ１と割り当てられた上がりリソースによると、ユーザ機器の伝送すべきデータ量の大きさは４００バイトであり、ユーザ機器は、データ量に応じて、制御面シグナリングによってデータを伝送すると決定し、また、ユーザ機器とｅＮＢとの事前約束により、ｅＮＢに送信するＲＲＣ接続確立完了メッセージにデータ伝送制御情報及びデータを含ませると決定する。
【０３６５】
本実施例において、データがＲＲＣ接続確立完了メッセージのＮＡＳ  ＰＤＵに乗せられており、データ伝送制御情報はデータインディケーション及びデータ送信完了インディケーションを含み、本実施例において、データインディケーションの送信方法は新しいＭＡＣ  ＣＥによってデータインディケーションを乗せるという方法である。
【０３６６】
本実施例において、データ送信完了インディケーションの送信方法は、ＭＡＣサブヘッダーの予約ビットによってデータインディケーションを乗せるという方法である。図１９に示すように、「Ｒ」はＭＡＣサブヘッダーにおける予約ビットを表し、その中の１つの予約ビットを「１」にしてデータインディケーションを表す。受信側は当該ビットを読み取ると、対応するＭＡＣ  ＰＤＵにデータ送信完了インディケーションがあることを知ることになり、そして、当該データ送信完了インディケーションを読み取ることができる。本ステップにおいて、データ送信完了インディケーションの値を「０」にして、データの送信が完了していないことを示す。
【０３６７】
データ送信完了インディケーションが乗せられるＭＡＣ  ＣＥに対応するＬＣＩＤを定義する方法は、表８に示す上がりリンク共有チャネルＬＣＩＤテーブルのとおりである。
【０３６８】
【表８】
2015530838.tif 000010
【０３６９】
即ち、予約番号から、データインディケーションを定義するための番号（01011）を分割する。受信側は、当該ＬＣＩＤを読み取ると、対応するＭＡＣ  ＰＤＵにデータインディケーションＭＡＣ  ＣＥがあることが分かることになり、そして、当該ＭＡＣ  ＣＥにおけるデータインディケーションを読み取ることができる。本実施例において、データインディケーションの値を「１」にして、送信すべきデータがあることを示す。
【０３７０】
ステップ８０６：ｅＮＢが、データ伝送制御情報を受信してから、処理操作を行い、データ送信が完了したか否かを判定する。
ｅＮＢはデータの受信が完了したか否かを判定し、データ伝送制御タイマー（例えばＴｓｍａｌｌｄａｔａ）をＯＮにし、これから送信すべきデータにリソースを割り当てる。
【０３７１】
本実施例において、ｅＮＢはデータ送信完了インディケーションにより判定し、この時受信したデータ送信完了インディケーションの値は「０」で、データの受信が完了していないことを表し、ｅＮＢは受信したデータをバッファリングするとともに、送信完了していないデータの受信を待ち続ける。
【０３７２】
ステップ８０７：ユーザ機器がＲＲＣ接続確立完了メッセージによって、送信完了していないデータ及びデータ伝送制御情報を送信し続ける。
【０３７３】
本実施例において、データ伝送制御情報はデータ送信完了インディケーションで、ＭＡＣサブヘッダーにおける予約ビットによってデータインディケーションを乗せ、詳しい方法はステップ８０５と同じである。本ステップにおいて、データ送信完了インディケーションの値を「０」にしてデータの送信が完了していないことを示す。
【０３７４】
ステップ８０８：ｅＮＢが、データ伝送制御情報を受信してから、処理操作を行い、データの送信が完了したか否かを判定する。
【０３７５】
本実施例において、ｅＮＢは、データ送信完了インディケーションにより判定し、この時受信したデータ送信完了インディケーションの値は「０」で、データの受信が完了していないことを表し、ｅＮＢは受信したデータをバッファリングするとともに、送信完了していないデータの受信を待ち続ける。
【０３７６】
ステップ８０９：ＲＲＣ接続確立完了メッセージによって、送信完了していないデータ及びデータ伝送制御情報を送信し続ける。
【０３７７】
本実施例において、データ伝送制御情報はデータ送信完了インディケーションで、ＭＡＣサブヘッダーにおける予約ビットによってデータインディケーションを乗せ、詳しい方法はステップ８０５と同じである。本ステップにおいて、データ送信完了インディケーションの値を「０」にしてデータの送信が完了していないことを示す。
【０３７８】
ステップ８１０：ｅＮＢがデータ伝送制御情報を受信してから、処理操作を行い、データの送信が完了したか否かを判定する。
【０３７９】
本実施例において、ｅＮＢは、データ送信完了インディケーションにより判定し、この時受信したデータ送信完了インディケーションの値は「０」で、データの受信が完了していないことを表し、ｅＮＢは受信したデータをバッファリングするとともに、送信完了していないデータの受信を待ち続ける。
【０３８０】
ステップ８１１：ｅＮＢにおけるデータ送信制御タイマーが時間切れになる。
【０３８１】
本実施例において、ステップ８１０の後、ｅＮＢにおけるデータ送信制御タイマーが時間切れになり、ｅＮＢは、ＲＲＣ接続をリリースすると決定する。
【０３８２】
ステップ８１２：ｅＮＢはユーザ機器にＲＲＣ接続リリースメッセージを送信する。
【０３８３】
本実施例において、ｅＮＢはユーザ機器にＲＲＣ接続リリースメッセージを送信するとともに、ＲＲＣ接続がリリースされた原因（例えば、データ送信制御タイマーのオーバータイムや他の原因）をユーザ機器に示し、受信したＵＥからのデータを破棄する。
【０３８４】
実施例９
図１６に示すような、ユーザ機器がＲＲＣ接続確立完了メッセージのみを用いてデータを送信し、アクセスネットワーク機器が初期ユーザ機器メッセージを用いてデータを送信し、データ送信完了後、後続の接続確立を引き続き完成するプロセスを示すフローチャート図を参照して、詳しいプロセスは以下のとおりである。
【０３８５】
ステップ９０１：ユーザ機器がｅＮＢにランダムアクセスプリアンブルを送信する。
【０３８６】
ユーザ機器またはＭＴＣ機器に送信すべきデータがある場合、まず、Ｐｒｅａｍｂｌｅを選択し、そして、システムにより配置されたランダムアクセスリソース情報に基づき、ｅＮＢにプリアンブルシーケンスを送信する。
【０３８７】
ステップ９０２：ｅＮＢがユーザ機器にランダムアクセス応答メッセージ（Ｍｓｇ２）を送信する。
【０３８８】
ランダムアクセス応答メッセージには、ユーザ機器の送信したランダムアクセスプリアンブルに対応するプリアンブルアイデンティティ、上がり伝送タイミング調整、ＲＲＣ接続要求メッセージのための上がりリソース割り当て、一時的Ｃ−ＲＮＴＩなどが含まれていることが可能である。
【０３８９】
ステップ９０３：ユーザ機器がｅＮＢにＲＲＣ接続要求を送信する。
【０３９０】
ユーザ機器は、Ｍｓｇ２を受信した後、ランダムアクセス応答メッセージで割り当てられた上がりリソースによって、ＲＲＣ接続確立要求メッセージを送信する。
【０３９１】
ステップ９０４：ｅＮＢがユーザ機器にＲＲＣ接続確立メッセージを送信する。
【０３９２】
ｅＮＢは、ユーザ機器にＳＲＢ１を確立するためのＲＲＣ接続確立メッセージを送信し、また、ユーザ機器にＲＲＣ接続確立完了メッセージのための上がりリソースを割り当てる。
【０３９３】
ステップ９０５：ユーザ機器がｅＮＢにＲＲＣ接続確立メッセージを送信し、当該メッセージには、データ伝送制御情報及びデータがさらに含まれている。
【０３９４】
本実施例において、ＲＲＣ接続確立メッセージで確立されたＳＲＢ１と割り当てられた上がりリソースによると、ユーザ機器の伝送すべきデータパケットの数は４つであり、ユーザ機器は、データパケットの数に応じて、制御面シグナリングによってデータを伝送すると決定し、また、ユーザ機器とｅＮＢとの事前約束により、ｅＮＢに送信するＲＲＣ接続確立完了メッセージにデータ伝送制御情報及びデータを含ませると決定する。
【０３９５】
本実施例において、データがＲＲＣ接続確立完了メッセージのＮＡＳ  ＰＤＵに乗せられており、データ伝送制御情報はデータインディケーション及びデータ送信完了インディケーションを含み、本実施例において、データインディケーションの送信方法は新しいＭＡＣ  ＣＥによってデータインディケーションを乗せるという方法で、データ送信完了インディケーションの送信方法は新しいＭＡＣ  ＣＥによってデータ送信完了インディケーションを乗せるという方法である。
【０３９６】
データ送信完了インディケーションが乗せられるＭＡＣ  ＣＥに対応するＬＣＩＤを定義する方法は、表９に示す上がりリンク共有チャネルＬＣＩＤテーブルのとおりである。
【０３９７】
【表９】
2015530838.tif 000011
【０３９８】
即ち、予約番号から、データ送信完了インディケーションを定義するための番号（01100）と、データインディケーションを定義するための番号（01011）との２つの番号が取り出される。受信側は、当該ＬＣＩＤを読み取ると、対応するＭＡＣ  ＰＤＵにデータ送信完了インディケーションとデータインディケーションＭＡＣ  ＣＥがあることを知ることになり、そして、当該ＭＡＣ  ＣＥにおけるデータ送信完了インディケーション及びデータインディケーションを読み取ることができる。本実施例において、データインディケーションの値を「１」にして、送信すべきデータがあることを示し、データ送信完了インディケーションの値を「０」にして、データの送信が完了していないことを示す。
【０３９９】
ステップ９０６：ｅＮＢが、データ伝送制御情報を受信してから、処理操作を行い、データ送信が完了したか否かを判定する。
ｅＮＢはデータの受信が完了したか否かを判定し、データ伝送制御タイマー（例えばＴｓｍａｌｌｄａｔａ）をＯＮにし、これから送信すべきデータにリソースを割り当てる。
【０４００】
本実施例において、データ送信完了インディケーションにより、データ送信が完了したか否かを判定し、ステップ９０７で受信したデータ送信完了インディケーションの値は「０」で、ユーザ機器によるデータの送信が完了していないことを表し、この時、ｅＮＢは、受信したデータをバッファリングするとともに、送信完了していないデータの受信を待ち続ける。
【０４０１】
ステップ９０７：ユーザ機器が、ＲＲＣ接続確立完了メッセージによって、送信完了していないデータ及びデータ伝送制御情報を送信し続ける。
【０４０２】
本実施例において、データ伝送制御情報はデータ送信完了インディケーションで、当該情報はステップ９０５の方法、即ち新しいＭＡＣ  ＣＥによってデータ送信完了インディケーションを乗せ、表９の対応関係に従い、予約番号からデータ送信完了インディケーションを定義するための１つの番号（01100）を取り出す。受信側は、当該ＬＣＩＤを読み取ると、対応するＭＡＣ  ＰＤＵにデータ送信完了インディケーションＭＡＣ  ＣＥがあることが分かることになり、そして、当該ＭＡＣ  ＣＥにおけるデータ送信完了インディケーションを読み取ることができる。本実施例において、データ送信完了インディケーションの値を「１」にして、データの送信が完了したことを示す。
【０４０３】
ステップ９０８：ｅＮＢが、データ伝送制御情報を受信してから、処理操作を行い、データの送信が完了したか否かを判定する。
【０４０４】
本実施例において、データ送信完了インディケーションにより、データの送信が完了したか否かを判定し、ステップ９０７で受信したデータ送信完了インディケーションの値は「１」で、ユーザ機器のデータ送信が完了したことを表し、ｅＮＢはデータの受信を完了する。
【０４０５】
ステップ９０９：ｅＮＢが初期ユーザ機器メッセージを利用して、ＭＭＥにデータ、データインディケーション、及びデータ送信完了インディケーションを送信するとともに、データ制御タイマーをＯＦＦにする。
【０４０６】
本実施例において、データを送信する初期ユーザ機器メッセージに、データインディケーションＩＥ及びデータ送信完了インディケーションＩＥを追加し、表１０に示すとおりである。
【０４０７】
【表１０】
2015530838.tif 000012
【０４０８】
本実施例において、データ送信完了インディケーションの値は「１」で、データ送信が完了したことを示し、データインディケーションの値は「１」で、送信すべきデータがあることを示す。
【０４０９】
ステップ９１０：ＭＭＥが、ユーザ機器が制御面を用いてデータを送信することができるか否かを判定する。
【０４１０】
本実施例において、サブスクリプト情報により、ユーザ機器がデータ最適化方法を使用してデータを送信することができると判定する。
【０４１１】
ステップ９１１：ＭＭＥが受信したデータを、後続のコアネットワークノードに送信する。
【０４１２】
ステップ９１２：ＭＭＥが、引き続き後続のＲＲＣ接続プロセスを完成するか、それともＲＲＣ接続をリリースするかを判定する。
【０４１３】
本実施例において、ＭＭＥが後続のコアネットワークノードにデータを送信してからの所定の期間内に、送信すべき下りデータがあるため、後続のＲＲＣ接続を完成するプロセスを実行すると決定する。
【０４１４】
ステップ９１３：ＭＭＥがｅＮＢに初期コンテキスト確立要求メッセージを送信する。
【０４１５】
ＭＭＥはｅＮＢに対して、アクセス層セキュリティコンテキスト情報、切り替え制限情報、ＱoＳ情報、サービスゲートウェイの、ユーザ面のためのトンネル端末アイデンティティ及びアドレス情報などを含むユーザ機器に対応する接続情報を通知する。
【０４１６】
ステップ９１４：ｅＮＢがユーザ機器にセキュリティモードコマンドメッセージを送信する。
【０４１７】
ｅＮＢはユーザ機器またはＭＴＣ機器に、ユーザ機器のセキュリティ性をアクティブ化するためのセキュリティモードコマンドを送信する。
【０４１８】
ステップ９１５：ユーザ機器がｅＮＢにセキュリティモード完成メッセージを送信する。
【０４１９】
ユーザ機器は、ｅＮＢにセキュリティモード完成メッセージを送信し、セキュリティ性がアクティブ化されたことをｅＮＢに通知する。
【０４２０】
ステップ９１６：ｅＮＢがユーザ機器にＲＲＣ接続再配置メッセージを送信する。
【０４２１】
ｅＮＢは、ユーザ機器に、データ無線ベアラ及びＳＲＢ２を確立するためのＲＲＣ接続再配置メッセージを送信する。
【０４２２】
なお、ステップ９１６はステップ９１５の前に行われても良い。
【０４２３】
ステップ９１７：ユーザ機器がｅＮＢにＲＲＣ接続再配置完了メッセージを送信する。
【０４２４】
ユーザ機器は、ｅＮＢにＲＲＣ接続再配置完了メッセージを送信し、データ無線ベアラ及びＳＲＢ２の配置が完了したことをｅＮＢに通知する。
【０４２５】
ステップ９１８：ｅＮＢがＭＭＥに初期コンテキスト確立応答メッセージを送信する。
【０４２６】
ｅＮＢは、ＭＭＥに、ｅＮＢのトンネル端末アイデンティティとｅＮＢの、Ｓ１インターフェースユーザ面下りサービスのためのアドレス情報が含まれている初期コンテキスト確立応答メッセージを送信する。
【０４２７】
実施例１０
図１７に示すような、ユーザ機器がＲＲＣ接続確立完了メッセージのみを用いてデータを送信し、アクセスネットワーク機器が新しいＳ１メッセージを用いてデータを送信し、データ送信完了後、ＲＲＣ接続をリリースするプロセスを示すフローチャート図を参照して、詳しいプロセスは以下のとおりである。
【０４２８】
ステップ１００１：ユーザ機器がｅＮＢにランダムアクセスプリアンブルを送信する。
【０４２９】
ユーザ機器またはＭＴＣ機器に送信すべきデータがある場合、まず、Ｐｒｅａｍｂｌｅを選択し、そして、システムにより配置されたランダムアクセスリソース情報に基づき、ｅＮＢにプリアンブルシーケンスを送信する。
【０４３０】
ステップ１００２：ｅＮＢがユーザ機器にランダムアクセス応答メッセージ（Ｍｓｇ２）を送信する。
【０４３１】
ランダムアクセス応答メッセージには、ユーザ機器の送信したランダムアクセスプリアンブルに対応するプリアンブルアイデンティティ、上がり伝送タイミング調整、ＲＲＣ接続要求メッセージのための上がりリソース割り当て、一時的Ｃ−ＲＮＴＩなどが含まれていることが可能である。
【０４３２】
ステップ１００３：ユーザ機器がｅＮＢにＲＲＣ接続要求を送信する。
【０４３３】
ユーザ機器は、Ｍｓｇ２を受信した後、ランダムアクセス応答メッセージで割り当てられた上がりリソースによって、ＲＲＣ接続確立要求メッセージを送信する。
【０４３４】
ステップ１００４：ｅＮＢがユーザ機器にＲＲＣ接続確立メッセージを送信する。
【０４３５】
ｅＮＢは、ユーザ機器にＳＲＢ１を確立するためのＲＲＣ接続確立メッセージを送信し、また、ユーザ機器にＲＲＣ接続確立完了メッセージのための上がりリソースを割り当てる。
【０４３６】
ステップ１００５：ユーザ機器がｅＮＢにＲＲＣ接続確立メッセージを送信し、当該メッセージには、データ伝送制御情報及びデータがさらに含まれている。
【０４３７】
本実施例において、ＲＲＣ接続確立メッセージで確立されたＳＲＢ１と割り当てられた上がりリソースによると、ユーザ機器の伝送すべきデータパケットの数は１つで、当該データパケットの大きさは５００バイトであり、ユーザ機器は、データ量及びデータパケットの数に基づき、制御面シグナリングによってデータを伝送すると決定し、また、ユーザ機器とｅＮＢとの事前約束により、ｅＮＢに送信するＲＲＣ接続確立完了メッセージにデータ伝送制御情報及びデータを含ませると決定する。
【０４３８】
本実施例において、データがＲＲＣ接続確立完了メッセージのＮＡＳ  ＰＤＵに乗せられており、データ伝送制御情報はデータインディケーション及びデータ送信完了インディケーションを含み、本実施例において、データインディケーションの送信方法はＭＡＣサブヘッダーにおける予約ビットによってデータインディケーションを乗せるという方法である。図１９に示すように、図１９中の「Ｒ」はＭＡＣサブヘッダーにおける予約ビットを表し、その中の１つの予約ビットを「１」にしてデータインディケーションを表す。受信側は当該ビットを読み取ると、対応するＭＡＣ  ＰＤＵにデータインディケーションがあることを知ることになり、そして、当該データインディケーションを読み取ることができる。
【０４３９】
本実施例において、データ送信完了インディケーションの送信方法はＭＡＣサブヘッダーにおける予約ビットによってデータインディケーションを乗せるという方法である。図１９に示すように、図１９中の「Ｒ」はＭＡＣサブヘッダーにおける予約ビットを表し、その中の１つの予約ビットを「１」にしてデータインディケーションを表し、当該予約ビットはデータインディケーションに用いられる予約ビットと衝突してはならない。受信側は当該ビットを読み取ると、対応するＭＡＣ  ＰＤＵにデータ送信完了インディケーションがあることを知ることになり、そして、当該データ送信完了インディケーションを読み取ることができる。本実施例において、データインディケーションの値を「１」にして、送信すべきデータがあることを示し、データ送信完了インディケーションの値を「０」にして、データの送信が完了していないことを示す。
【０４４０】
ステップ１００６：ｅＮＢが、データ伝送制御情報を受信してから、処理操作を行い、データ送信が完了したか否かを判定する。
【０４４１】
ｅＮＢはデータの受信が完了したか否かを判定し、データ伝送制御タイマー（例えばＴｓｍａｌｌｄａｔａ）をＯＮにし、これから送信すべきデータにリソースを割り当てる。
【０４４２】
本実施例において、ｅＮＢはデータ送信完了インディケーションにより、完了したか否かを判定し、この時受信したインディケーションの値は「０」で、データの受信が完了していないと指し示し、ｅＮＢは受信したデータをバッファリングするとともに、送信完了していないデータを待ち続ける。
【０４４３】
ステップ１００７：ユーザ機器がＲＲＣ接続確立完了メッセージによって、データ、及びデータ伝送制御情報を送信する。
【０４４４】
本実施例において、データ伝送制御情報はデータ送信完了インディケーションで、ＭＡＣサブヘッダーにおける予約ビットによってデータインディケーションを乗せ、詳しい方法はステップ１００５と同じである。本ステップにおいて、データ送信完了インディケーションの値を「１」にして、データの送信が完了したことを示す。
【０４４５】
ステップ１００８：ｅＮＢが、データ伝送制御情報を受信してから、処理操作をして、データ送信が完了したか否かを判定する。
【０４４６】
本実施例において、ｅＮＢがデータ送信完了インディケーションにより、完了したか否かを判定し、この時受信したインディケーションの値は「１」で、データの受信が完了したことを示し、ｅＮＢはデータの送信を終了する。
【０４４７】
ステップ１００９：ｅＮＢが新しいＳ１メッセージによって、ＭＭＥにデータ、データインディケーション、及びデータ送信完了インディケーションを送信し、データ制御タイマーをＯＦＦにする。
【０４４８】
本実施例において、データを送信するＳ１メッセージは、表１１に示すとおりである。
【０４４９】
【表１１】
2015530838.tif 000013
【０４５０】
本実施例において、データ送信完了インディケーションの値は「１」で、データ送信が完了したことを示し、データインディケーションの値は「１」で、送信すべきデータがあることを示す。
【０４５１】
ステップ１０１０：ＭＭＥが、ユーザ機器が制御面によってデータを送信することができるか否かを判定する。
【０４５２】
本実施例において、サブスクリプト情報により、ユーザ機器がデータ最適化方法を用いてデータを送信することができると判定する。
【０４５３】
ステップ１０１１：ＭＭＥが受信したデータを、後続のコアネットワークノードに送信する。
【０４５４】
ステップ１０１２：ＭＭＥが、後続のＲＲＣ接続プロセスを引き続き完成するか、それともＲＲＣ接続をリリースするかを判定する。
【０４５５】
本実施例において、ＭＭＥはユーザ機器のサブスクリプト情報により、データの送信が完了してから、ＲＲＣ接続をリリースするプロセスを実行すると決定する。
【０４５６】
ステップ１０１３：ＭＭＥがｅＮＢにＵＥコンテキストリリースコマンドを送信する。
【０４５７】
ＭＭＥはｅＮＢに対して、ｅＮＢとＭＭＥとの間の接続をリリースするためのＵＥコンテキストリリースコマンドを送信する。
【０４５８】
ステップ１０１４：ｅＮＢがユーザ機器にＲＲＣ接続リリースメッセージを送信する。
【０４５９】
ｅＮＢは、ユーザ機器に、ユーザ機器のＲＲＣ接続をリリースするためのＲＲＣ接続リリースメッセージを送信する。
【０４６０】
ステップ１０１５：ｅＮＢが、ＭＭＥに、ＵＥコンテキストリリース完了メッセージを送信する。
【０４６１】
ｅＮＢは、ＭＭＥにＵＥコンテキストリリース完了メッセージを送信し、接続がリリースされたことをＭＭＥに通知する。
【０４６２】
実施例１１
図１８に示すような、ユーザ機器がＲＲＣ接続確立完了メッセージのみを用いてデータを送信し、ｅＮＢにおけるデータ制御タイマーが時間切れになり、ｅＮＢが後続のＲＲＣ接続確立を続けるプロセスを示すフローチャート図を参照して、詳しいプロセスは以下のとおりである。
【０４６３】
ステップ１１０１：ユーザ機器がｅＮＢにランダムアクセスプリアンブルを送信する。
【０４６４】
ユーザ機器またはＭＴＣ機器に送信すべきデータがある場合、まず、Ｐｒｅａｍｂｌｅを選択し、そして、システムにより配置されたランダムアクセスリソース情報に基づき、ｅＮＢにプリアンブルシーケンスを送信する。
【０４６５】
ステップ１１０２：ｅＮＢがユーザ機器にランダムアクセス応答メッセージ（Ｍｓｇ２）を送信する。
【０４６６】
ランダムアクセス応答メッセージには、ユーザ機器の送信したランダムアクセスプリアンブルに対応するプリアンブルアイデンティティ、上がり伝送タイミング調整、ＲＲＣ接続要求メッセージのための上がりリソース割り当て、一時的Ｃ−ＲＮＴＩなどが含まれていることが可能である。
【０４６７】
ステップ１１０３：ユーザ機器がｅＮＢにＲＲＣ接続要求を送信する。
【０４６８】
ユーザ機器は、Ｍｓｇ２を受信した後、ランダムアクセス応答メッセージで割り当てられた上がりリソースによって、ＲＲＣ接続確立要求メッセージを送信する。
【０４６９】
ステップ１１０４：ｅＮＢがユーザ機器にＲＲＣ接続確立メッセージを送信する。
【０４７０】
ｅＮＢは、ユーザ機器にＳＲＢ１を確立するためのＲＲＣ接続確立メッセージを送信し、また、ユーザ機器にＲＲＣ接続確立完了メッセージのための上がりリソースを割り当てる。
【０４７１】
ステップ１１０５：ユーザ機器がｅＮＢにＲＲＣ接続確立メッセージを送信し、当該メッセージには、データ伝送制御情報及びデータがさらに含まれている。
【０４７２】
本実施例において、ＲＲＣ接続確立メッセージで確立されたＳＲＢ１と割り当てられた上がりリソースによると、ユーザ機器の伝送すべきデータ量は６１０バイトであり、ユーザ機器は、データ量に応じて、制御面シグナリングによってデータを伝送すると決定し、また、ユーザ機器とｅＮＢとの事前約束により、ｅＮＢに送信するＲＲＣ接続確立完了メッセージにデータ伝送制御情報及びデータを含ませると決定する。
【０４７３】
本実施例において、データがＲＲＣ接続確立完了メッセージのＮＡＳ  ＰＤＵに乗せられており、データ伝送制御情報はデータインディケーション及びデータ送信完了インディケーションを含み、本実施例において、データを送信するＲＲＣ接続確立完了メッセージにデータインディケーションＩＥ及びデータ送信完了インディケーションＩＥを入れ、データ送信完了インディケーションの送信方法は新しいＭＡＣ  ＣＥによってデータ送信完了インディケーションを乗せるという方法である。
【０４７４】
データ送信完了インディケーションが乗せられるＭＡＣ  ＣＥに対応するＬＣＩＤを定義する方法は、表１２に示す上がりリンク共有チャネルＬＣＩＤテーブルのとおりである。
【０４７５】
【表１２】
2015530838.tif 000014
【０４７６】
即ち、予約番号から、データ送信完了インディケーションを定義するための番号（01011）が取り出される。受信側は、当該ＬＣＩＤを読み取ると、対応するＭＡＣ  ＰＤＵにデータ送信完了インディケーションＭＡＣ  ＣＥがあることを知ることになり、そして、当該ＭＡＣ  ＣＥにおけるデータ送信完了インディケーションを読み取ることができる。本実施例において、データインディケーションの値を「１」にして、送信すべきデータがあることを示し、データ送信完了インディケーションの値を「０」にして、データの送信が完了していないことを示す。
【０４７７】
ステップ１１０６：ｅＮＢがデータ伝送制御情報を受信してから、処理操作を行い、データ送信が完了したか否かを判定する。
【０４７８】
ｅＮＢはデータの受信が完了したか否かを判定し、データ伝送制御タイマー（例えばＴｓｍａｌｌｄａｔａ）をＯＮにし、これから送信すべきデータにリソースを割り当てる。
【０４７９】
本実施例において、ｅＮＢはデータ送信完了インディケーションにより、完了したか否かを判定し、この時受信したデータ送信完了インディケーションの値は「０」で、データの受信が完了していないことを表し、ｅＮＢは受信したデータをバッファリングするとともに、送信完了していないデータの受信を待ち続ける。
【０４８０】
ステップ１１０７：ユーザ機器が、ＲＲＣ接続確立完了メッセージによって、送信が完了していないデータ、及びデータ伝送制御情報を送信し続ける。
【０４８１】
本実施例において、データ伝送制御情報はデータ送信完了インディケーションであり、当該情報はステップ１１０５の方法、即ち新しいＭＡＣ  ＣＥによってデータ送信完了インディケーションを乗せ、表１２の対応関係に従い、予約番号からデータ送信完了インディケーションを定義するための１つの番号（01011）を取り出す。受信側は、当該ＬＣＩＤを読み取ると、対応するＭＡＣ  ＰＤＵにデータ送信完了インディケーションＭＡＣ  ＣＥがあることが分かることになり、そして、当該ＭＡＣ  ＣＥにおけるデータ送信完了インディケーションを読み取ることができる。本実施例において、データ送信完了インディケーションの値を「０」にして、データの送信が完了していないことを示す。
【０４８２】
ステップ１１０８：ｅＮＢがデータ伝送制御情報を受信してから、処理操作をして、データ送信が完了したか否かを判定する。
【０４８３】
本実施例において、ｅＮＢはデータ送信完了インディケーションに基づき、完了したか否かを判定し、この時受信したデータ送信完了インディケーションの値は「０」で、データの受信が完了していないことを表し、ｅＮＢは受信したデータをバッファリングするとともに、送信完了していないデータの受信を待ち続ける。
【０４８４】
ステップ１１０９：ＲＲＣ接続確立完了情報によって、送信が完了していないデータ、及びデータ伝送制御情報を送信し続ける。
【０４８５】
本実施例において、データ伝送制御情報はデータ送信完了インディケーションで、当該情報はステップ１１０５の方法、即ち新しいＭＡＣ  ＣＥによってデータ送信完了インディケーションを乗せ、表１２の対応関係に従い、予約番号からデータ送信完了インディケーションを定義するための１つの番号（01011）を取り出す。受信側は、当該ＬＣＩＤを読み取ると、対応するＭＡＣ  ＰＤＵにデータ送信完了インディケーションＭＡＣ  ＣＥがあることが分かることになり、そして、当該ＭＡＣ  ＣＥにおけるデータ送信完了インディケーションを読み取ることができる。本実施例において、データ送信完了インディケーションの値を「０」にして、データの送信が完了していないことを示す。
【０４８６】
ステップ１１１０：ｅＮＢが、データ伝送制御情報を受信してから、処理操作をして、データ送信が完了したか否かを判定する。本実施例において、ｅＮＢはデータ送信完了インディケーションにより、受信が完了したか否かを判定し、この時受信したデータ送信完了インディケーションの値は「０」で、データの受信が完了していないことを表し、ｅＮＢは受信したデータをバッファリングするとともに、送信完了していないデータを待ち続ける。
【０４８７】
ステップ１１１１：ｅＮＢにおけるデータ送信制御タイマーがオーバータイムする。
【０４８８】
本実施例において、ステップ１１１０の後、ｅＮＢにおけるデータ送信制御タイマーがオーバータイムし、ｅＮＢは、ユーザ機器との事前約束により、データ及び関連情報をＭＭＥに送信し、後続のＲＲＣ接続確立プロセスを続けると決定する。
【０４８９】
ステップ１１１２：ｅＮＢが、初期ユーザ機器メッセージによってＭＭＥにデータ、データインディケーション、及びデータ送信完了インディケーションを送信する。
【０４９０】
本実施例において、データを送信する初期ユーザ機器メッセージにデータインディケーションＩＥ及びデータ送信完了インディケーションＩＥを追加し、表１３に示すとおりである。
【０４９１】
【表１３】
2015530838.tif 000015
【０４９２】
本実施例において、データ送信完了インディケーションの値は「０」で、データの送信が完了していないことを示し、データインディケーションの値は「１」で、送信すべきデータがあることを示す。
【０４９３】
ステップ１１１３：ＭＭＥが、ユーザ機器が制御面を用いてデータを送信することができるか否かを判定する。
【０４９４】
本実施例において、サブスクリプト情報により、ユーザ機器がデータ最適化方法を用いてデータを送信することができると判定する。ただし、データ送信完了インディケーションの値は「０」で、データの送信が完了していないことを示し、この時、ＭＭＥは、データを後続のコアネットワークノードに送信せず、受信したデータを破棄すると決定する。
【０４９５】
ステップ１１１４：ＭＭＥが、後続のＲＲＣ接続プロセスを引き続き完成するか、それともＲＲＣ接続をリリースするかを判定する。
【０４９６】
本実施例において、ＭＭＥは、ユーザ機器とＭＭＥとの事前約束により、後続のＲＲＣ接続を完成するプロセスを実行すると決定する。
【０４９７】
ステップ１１１５：ＭＭＥがｅＮＢに初期コンテキスト確立要求メッセージを送信する。
【０４９８】
ＭＭＥはｅＮＢに対して、アクセス層セキュリティコンテキスト情報、切り替え制限情報、ＱoＳ情報、サービスゲートウェイの、ユーザ面のためのトンネル端末アイデンティティ及びアドレス情報などを含むユーザ機器に対応する接続情報を通知する。
【０４９９】
ステップ１１１６：ｅＮＢがユーザ機器にセキュリティモードコマンドメッセージを送信する。
【０５００】
ｅＮＢはユーザ機器またはＭＴＣ機器に、ユーザ機器のセキュリティ性をアクティブ化するためのセキュリティモードコマンドを送信する。
【０５０１】
ステップ１１１７：ユーザ機器がｅＮＢにセキュリティモード完成メッセージを送信する。
【０５０２】
ユーザ機器は、ｅＮＢにセキュリティモード完成メッセージを送信し、セキュリティ性がアクティブ化されたことをｅＮＢに通知する。
【０５０３】
ステップ１１１８：ｅＮＢがユーザ機器にＲＲＣ接続再配置メッセージを送信する。
【０５０４】
ｅＮＢは、ユーザ機器に、データ無線ベアラ及びＳＲＢ２を確立するためのＲＲＣ接続再配置メッセージを送信する。
【０５０５】
なお、ステップ１１１８はステップ１１１７の前に行われても良い。
【０５０６】
ステップ１１１９：ユーザ機器がｅＮＢにＲＲＣ接続再配置完了メッセージを送信する。
【０５０７】
ユーザ機器は、ｅＮＢにＲＲＣ接続再配置完了メッセージを送信し、データ無線ベアラ及びＳＲＢ２の配置が完了したことをｅＮＢに通知する。
【０５０８】
ステップ１１２０：ｅＮＢがＭＭＥに初期コンテキスト確立応答メッセージを送信する。
【０５０９】
ｅＮＢは、ＭＭＥに、ｅＮＢのトンネル端末アイデンティティとｅＮＢの、Ｓ１インターフェースユーザ面下りサービスのためのアドレス情報が含まれている初期コンテキスト確立応答メッセージを送信する。
【０５１０】
以上の説明から分かるように、本発明の実施例は、伝送データ量がある範囲にある場合、またはデータパケットが複数である場合を考慮して、制御面シグナリングによるデータ伝送方法を最適化にすることで、データ伝送によるシグナリングオーバヘッドを減少させ、ネットワーク性能を最適化にし、システム能率を向上させている。
【０５１１】
言うまでもなく、当業者にとって、上記の本発明実施例の各モジュール又は各ステップは汎用の演算装置によって実現することができ、単独の演算装置に集中させることができるし、或いは、複数の演算装置からなるネットワークに分布させることもでき、演算装置が実行可能なプログラムコードによって実現することで、それらを記憶装置に記憶させて演算装置によって実行することが好ましい。また、場合によっては、示した又は記載したステップを、ここでの順序と異なる順序で実行し、或いは夫々集積回路モジュールに作製し、或いはそのうちの複数のモジュール又はステップを単独の集積回路モジュールに作製して実現することができることは明らかなことである。このように、本発明は如何なる特定のハードウェアとソフトウェアの結合にも限定されない。
【０５１２】
以上は、本発明の好適な実施例に過ぎず、本発明を限定するものではない。当業者であれば、本発明の様々な変更や変形が可能である。本発明の精神や原則を逸脱しないいずれの変更、置換、改良なども本発明の保護範囲内に含まれる。
【産業上の利用可能性】
【０５１３】
本発明の実施例に係る技術は、機械通信分野に適用でき、制御面シグナリングによるデータ送信方式によって大きいデータ量の送信が実現できないという課題を解決し、データ伝送によるシグナリングオーバヘッドを減少させ、ネットワーク性能を最適化にし、システム能率を向上させている。
【符号の説明】
【０５１４】
４０  ユーザ機器
４２  データ量判定モジュール
４４  伝送すべきデータ送信モジュール
５０  アクセスネットワーク機器
５２  データ受信モジュール
５４  データバッファリングモジュール
５６  データ完全性判定モジュール
５８  データ送信モジュール
６０  コアネットワーク機器
６２  メッセージ受信モジュール
６４  判定モジュール
６６  データ処理モジュール
６８  接続処理モジュール
【図１】
2015530838.tif 000016
【図２】
2015530838.tif 000017
【図３】
2015530838.tif 000018
【図４】
2015530838.tif 000019
【図５】
2015530838.tif 000020
【図６】
2015530838.tif 000021
【図７】
2015530838.tif 000022
【図８】
2015530838.tif 000023
【図９】
2015530838.tif 000024
【図１０】
2015530838.tif 000025
【図１１】
2015530838.tif 000026
【図１２】
2015530838.tif 000027
【図１３】
2015530838.tif 000028
【図１４】
2015530838.tif 000029
【図１５】
2015530838.tif 000030
【図１６】
2015530838.tif 000031
【図１７】
2015530838.tif 000032
【図１８】
2015530838.tif 000033
【図１９】
2015530838.tif 000034
【手続補正書】
【提出日】平成27年3月31日(2015.3.31)
【手続補正１】
【補正対象書類名】特許請求の範囲
【補正対象項目名】全文
【補正方法】変更
【補正の内容】
【特許請求の範囲】
【請求項１】
ユーザ機器が現在伝送すべきデータのデータ量が閾値を超えたか否かを判定することを含み、
前記閾値を超えた場合、前記ユーザ機器が前記現在伝送すべきデータを複数回に分けて、アクセスネットワーク機器に対して現在受信したデータをバッファリングするよう指示するデータ伝送制御情報が含まれている無線リソース制御ＲＲＣシグナリングの非アクセス層プロトコルデータユニットＮＡＳ  ＰＤＵに乗せ、前記アクセスネットワーク機器に送信する、制御面シグナリングによるデータ伝送方法。
【請求項２】
前記データ伝送制御情報は、
現在ＲＲＣシグナリングによってデータを送信していることを示すデータインディケーションと、
データの送信が完了したか否かを示すデータ送信完了インディケーションと、
前記現在伝送すべきデータの伝送状況を前記アクセスネットワーク機器に示すデータパケット制御情報と、
送信すべき後続のデータがあるか否かを示すバッファリング状態レポートＢＳＲと、の少なくとも１つを含む請求項１に記載の方法。
【請求項３】
前記データインディケーションの携帯方式は、
前記ＲＲＣシグナリングに追加した情報エレメントＩＥに前記データインディケーションを含ませる方式と、
前記ＲＲＣシグナリングに追加したメディアアクセス制御エレメントＭＡＣ  ＣＥに前記データインディケーションを含ませる方式と、
ＭＡＣサブヘッダーの予約ビットに前記データインディケーションを含ませる方式とのいずれか１つを含む、或いは、
前記データ送信完了インディケーションの携帯方式は、
前記ＲＲＣシグナリングに追加した情報エレメントＩＥに前記データ送信完了インディケーションを含ませる方式と、
前記ＲＲＣシグナリングに追加したメディアアクセス制御エレメントＭＡＣ  ＣＥに前記データ送信完了インディケーションを含ませる方式と、
ＭＡＣサブヘッダーの予約ビットに前記データ送信完了インディケーションを含ませる方式のいずれか１つを含む請求項２に記載の方法。
【請求項４】
前記データパケット制御情報は、
送信が完了していないデータ量、データパケット数、及び単一のデータパケットの送信回数の少なくとも１つを含む請求項２に記載の方法。
【請求項５】
前記ＲＲＣシグナリングは、
ＲＲＣ接続確立完了メッセージ、
上がりリンク情報伝送メッセージ、及び
自己定義されたメッセージ、
の少なくとも１つを含む請求項１ないし５のいずれか一項に記載の方法。
【請求項６】
アクセスネットワーク機器が無線リソース制御ＲＲＣシグナリングの非アクセス層プロトコルデータユニットＮＡＳ  ＰＤＵに乗せられているユーザ機器からのデータを受信することと、
前記アクセスネットワーク機器が前記ＲＲＣシグナリングに含まれているデータ伝送制御情報に基づき、前記データをバッファリングすることと、
前記アクセスネットワーク機器が前記データ伝送制御情報に基づき、バッファリングされた前記データが完全なものであるか否かを判定することと、
完全なものである場合、前記アクセスネットワーク機器が、Ｓ１メッセージによって、バッファリングした前記データをコアネットワーク機器に送信することと、を含み、
前記Ｓ１メッセージは進化型ユニバーサル地上無線アクセスネットワークノードＢとモビリティ管理エンティティＭＭＥとの間のロジックインターフェースにサポートされるメッセージで、前記Ｓ１メッセージには、データ送信インディケーションが含まれている、制御面シグナリングによるデータ伝送方法。
【請求項７】
前記データ送信インディケーションは、現在ＲＲＣシグナリングを用いてデータを送信していることを示すデータインディケーション、及び／またはデータの送信が完了したか否かを示すデータ送信完了インディケーションを含む請求項６に記載の方法。
【請求項８】
前記アクセスネットワーク機器が前記データ伝送制御情報に基づき、バッファリングされた前記データが完全なものであるか否かを判定することは、
前記アクセスネットワーク機器が前記データ伝送制御情報におけるバッファリング状態レポートＢＳＲをチェックし、前記ＢＳＲが送信すべき後続のデータがないことを示す場合、バッファリングした前記データが完全なものであると判定し、そうでない場合、バッファリングした前記データが不完全であると判定するという方式と、
前記アクセスネットワーク機器が前記データ伝送制御情報におけるデータパケット制御情報をチェックし、前記データパケット制御情報が送信完了していないデータパケットの数がデフォルト値であることを示す場合、バッファリングした前記データが完全なものであると判定し、そうでない場合、バッファリングした前記データが不完全であると判定するという方式と、
前記アクセスネットワーク機器が前記データ伝送制御情報におけるデータ送信完了インディケーションをチェックし、前記データ送信完了インディケーションがデータ送信完了を示す場合、バッファリングした前記データが完全なものであると判定し、そうでない場合、バッファリングした前記データが不完全であると判定するという方式、のいずれか１つを含む請求項６に記載の方法。
【請求項９】
前記Ｓ１メッセージは、
初期ユーザ機器メッセージ、上がりリンク非アクセス層伝送メッセージ、または自己定義されたメッセージのいずれか１つである請求項６に記載の方法。
【請求項１０】
前記アクセスネットワーク機器がバッファリングした前記データが不完全であると判定した後、
前記アクセスネットワーク機器がデータ伝送制御タイマーをＯＮにすることをさらに含み、
前記データ伝送制御タイマーがオーバータイムすると、前記アクセスネットワーク機器は、
Ｓ１メッセージによって、バッファリングした前記データをコアネットワーク機器に送信し、後続の接続確立プロセスを完成するステップ、または、
前記ユーザ機器のＲＲＣ接続をリリースし、前記ＲＲＣ接続がリリースされた原因を前記ユーザに示すステップのいずれか１つを実行する請求項６に記載の方法。
【請求項１１】
前記データ送信完了インディケーションは前記データ伝送制御情報の中のデータ送信完了インディケーションである、または、前記データ送信完了インディケーションはバッファリングした前記データが完全なものであるか否かの判定結果に基づいて前記アクセスネットワーク機器によって生成されたものである請求項７に記載の方法。
【請求項１２】
コアネットワーク機器がアクセスネットワーク機器からのＳ１メッセージを受信することと、
前記コアネットワーク機器が前記データを後続コアネットワークノードに送信するか否かを判定することと、
前記コアネットワーク機器が、前記データを後続コアネットワークノードに送信すると判定した場合、前記データを後続コアネットワークノードに送信することと、
前記コアネットワーク機器が、前記データを後続コアネットワークノードに送信しないと判定した場合、前記データを破棄することと、
前記コアネットワーク機器が後続の無線リソース制御ＲＲＣの接続をする、またはＲＲＣ接続をリリースすることと、を含み、
前記Ｓ１メッセージは、進化型ユニバーサル地上無線アクセスネットワークノードＢとモビリティ管理エンティティＭＭＥとの間のロジックインターフェースにサポートされるメッセージで、データとデータ送信インディケーションが含まれている、制御面シグナリングによるデータ伝送方法。
【請求項１３】
前記コアネットワーク機器が前記データを後続コアネットワークノードに送信するか否かを判定することは、
前記コアネットワーク機器が前記データに対応するユーザ機器サブスクリプト情報に基づいて判定する方式と、
前記コアネットワーク機器が前記データ送信インディケーションに基づいて判定する方式と、の少なくとも１つを含む請求項１２に記載の方法。
【請求項１４】
前記コアネットワーク機器は、
前記データに対応するユーザ機器のサブスクリプト情報、前記コアネットワーク機器が後続ノードにデータを送信してからの所定時間内に送信すべき下りデータがあるか否か、及び前記コアネットワーク機器と前記データに対応するユーザ機器との事前約束情報、
のいずれか１つに基づいて、後続ＲＲＣ接続をするか、それとも、ＲＲＣ接続をリリースするかを決定する請求項１２に記載の方法。
【請求項１５】
現在伝送すべきデータのデータ量が閾値を超えたか否かを判定するように構成されているデータ量判定モジュールと、
前記データ量判定モジュールの判定結果が「ＹＥＳ」である場合、前記現在伝送すべきデータを複数回に分けて、アクセスネットワーク機器に対して現在受信したデータをバッファリングするよう指示するデータ伝送制御情報が含まれている無線リソース制御ＲＲＣシグナリングの非アクセス層プロトコルデータユニットＮＡＳ  ＰＤＵに乗せ、前記アクセスネットワーク機器に送信するように構成されている伝送すべきデータ送信モジュールと、を含むユーザ機器。
【請求項１６】
前記アクセスネットワーク機器またはコアネットワーク機器からのシグナリングを受信するように構成されているシグナリング受信モジュールと、
前記シグナリング受信モジュールが受信した前記シグナリングに基づき、後続ＲＲＣ接続を確立する、またはＲＲＣ接続をリリースするように構成されている接続処理モジュールと、をさらに含む請求項１５に記載のユーザ機器。
【請求項１７】
無線リソース制御ＲＲＣシグナリングの非アクセス層プロトコルデータユニットＮＡＳ  ＰＤＵに乗せられているユーザ機器からのデータを受信するように構成されているデータ受信モジュールと、
前記ＲＲＣシグナリングに含まれているデータ伝送制御情報に基づき、前記データ受信モジュールの受信した前記データをバッファリングするように構成されているデータバッファリングモジュールと、
前記データ伝送制御情報に基づき、前記データバッファリングモジュールによってバッファリングされた前記データが完全なものであるか否かを判定するように構成されているデータ完全性判定モジュールと、
前記データ完全性判定モジュールがバッファリングされた前記データが完全なものであると判定した場合、Ｓ１メッセージによって、バッファリングされた前記データをコアネットワーク機器に送信するように構成されているデータ送信モジュールと、を含み、
前記Ｓ１メッセージは進化型ユニバーサル地上無線アクセスネットワークノードＢとモビリティ管理エンティティＭＭＥとの間のロジックインターフェースにサポートされるメッセージで、前記Ｓ１メッセージには、データ送信インディケーションが含まれているアクセスネットワーク機器。
【請求項１８】
前記データ完全性判定モジュールがバッファリングされた前記データが不完全であると判定すると、データ伝送制御タイマーをＯＮにするように構成されているタイマーＯＮモジュールと、
前記タイマーＯＮモジュールによってＯＮにされた前記データ伝送制御タイマーがオーバータイムした場合、Ｓ１メッセージによって、バッファリングされた前記データをコアネットワーク機器に送信し、後続の接続確立プロセスを完成する、または前記ユーザ機器のＲＲＣ接続をリリースし、前記ＲＲＣ接続がリリースされた原因を前記ユーザに示すように構成されているタイミング処理モジュールと、をさらに含む請求項１７に記載のアクセスネットワーク機器。
【請求項１９】
アクセスネットワーク機器からのＳ１メッセージを受信するように構成されているメッセージ受信モジュールと、
前記メッセージ受信モジュールによって受信されたＳ１メッセージにおける前記データを後続コアネットワークノードに送信するか否かを判定するように構成されている判定モジュールと、
前記判定モジュールの判定結果が「ＹＥＳ」である場合、前記データを後続コアネットワークノードに送信し、前記判定モジュールの判定結果が「ＮＯ」である場合、前記データを破棄するように構成されているデータ処理モジュールと、
前記データ処理モジュールによって前記データの処理が完了された後、後続の無線リソース制御ＲＲＣ接続をする、或いは、ＲＲＣ接続をリリースするように構成されている接続処理モジュールと、を含み、
前記Ｓ１メッセージは、進化型ユニバーサル地上無線アクセスネットワークノードＢとモビリティ管理エンティティＭＭＥとの間のロジックインターフェースにサポートされるメッセージで、データとデータ送信インディケーションが含まれているコアネットワーク機器。
【国際調査報告】
2015530838.tif 000035
2015530838.tif 000036
2015530838.tif 000037
2015530838.tif 000038